(57)【要約】  より放熱効率の向上が可能な光ピックアップ装置、及び光ピックアップ装置を備えた光ディスク装置を提供する。基台（１１０）と、レーザユニット（１４１）と、レーザ光を伝搬する光学系（１４０）と、調整部材（１４２）とを備えた光ピックアップ装置において、上記レーザユニットの放熱面（１４１ｂ）に固定され上記放熱面から上記調整部材へ熱を伝導する放熱部材（１４６）を備えた。よって、レーザユニットにて発生した熱は、放熱部材を介して調整部材、さらに基台へと伝達され、より効率的にレーザユニットの除熱を行うことができる。
2007099946.tif 000002
【特許請求の範囲】
【請求項１】
基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材とを備えた光ピックアップ装置において、
上記レーザユニットのレーザ光放射面に対向する放熱面及び上記調整部材に直接に接触し上記放熱面から上記調整部材へ熱を伝導する放熱部材を備えたことを特徴とする光ピックアップ装置。
【請求項２】
上記放熱部材は、Ｌ字型の形状にてなり、上記放熱面に固定される一端部と、上記調整部材に接触する他端部とを有する、請求項１記載の光ピックアップ装置。
【請求項３】
上記光学系は、上記光ディスクへ上記レーザ光を合焦させる対物レンズを有し、
上記調整部材は、上記光学系の光軸を調整するため上記レーザユニットを可動とするスライド調整部材と、あおり調整を行うあおり調整部材とを有し、
上記放熱部材は、上記あおり調整部材に直接に接触する、請求項１記載の光ピックアップ装置。
【請求項４】
上記放熱部材は、上記あおり調整部材と一体的に成型されている、請求項３記載の光ピックアップ装置。
【請求項５】
上記基台、上記放熱部材、及び上記調整部材は金属製である、請求項１記載の光ピックアップ装置。
【請求項６】
基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材と、上記レーザユニットのレーザ光放射面に対向する放熱面及び上記調整部材に直接に接触し上記放熱面から上記調整部材へ熱を伝導する放熱部材と、を有する光ピックアップ装置と、
上記光ピックアップ装置から得られる信号が供給され、該信号に基づいて光ディスクの回転制御、並びに、光学レンズのフォーカシング及びトラッキングの制御を行う制御回路と、
を備えたことを特徴とする光ディスク装置。
【請求項７】
基台と、
上記基台の内側へ向けてレーザ光放射面からレーザ光を発するレーザ光源を有しかつ上記レーザ光放射面に対向する放熱面を上記基台の外側に向けて上記基台に配置されるレーザユニットと、
上記レーザユニットを上記基台に固定しかつ上記放熱面から上記基台へ熱を伝導する部材であって、上記放熱面に固定される放熱面固定部、及び、上記レーザ光源から放射されるレーザ光の光軸方向へ上記放熱面固定部から屈曲して上記基台へ延在し上記基台に固定される基台固定部を有する放熱固定部材と、
上記基台に設けられ上記レーザユニットと光ディスクとの間でレーザ光を伝搬する光学系と、
を備えたことを特徴とする光ピックアップ装置。
【発明の詳細な説明】
【技術分野】
【０００１】
本発明は、ＣＤ（コンパクトディスク）やＤＶＤ（デジタルバーサタイルディスク）等の光ディスクとの間で情報の記録及び再生を行う光ディスク装置、及び該光ディスク装置に備わる光ピックアップ装置に関する。
【背景技術】
【０００２】
ＣＤやＤＶＤ等の光ディスクに対する情報の記録や再生を行う、一般的に用いられている光ディスク装置を図１４に示す。図１４において、光ディスク装置１は、筐体２と、筐体２に出入自在に保持されたトレイ３とを有している。筐体２は、金属製の筐体部２ａ、２ｂを組み合わせた袋状であり、筐体２の開口からトレイ３が出入する構成となっている。トレイ３には、その裏面側から光ピックアップ装置４が取り付けられている。トレイ３の両側部には移動自在にレール３ａが設けられ、このレール３ａは、トレイ３に一体に設けられたレール保持部３ｂに保持されている。【０００３】
光ピックアップ装置４は，光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は、光ピックアップ装置４に設けられた複数の案内シャフトに移動自在に保持されており、さらに、不図示のフィードモータによって、スピンドルモータ５に近づいたり、離れたりするように移動できる。８はトレイ３の前面に設けられたベゼルで、ベゼル８は筐体２の開口を塞ぐ程度の大きさで構成されている。【０００４】
キャリッジ７には、高出力のレーザーダイオード等の光源，各種光学部材及び光ディスク上に光スポットを構成する対物レンズなどが搭載されている。光ディスクへの情報記録などを行う際には、高出力の光源や、その光源を駆動するＩＣ等が必要である。その結果、光源やＩＣの発熱がおびただしくなって、記録再生特性に影響を及ぼすことが生じてきている。【０００５】
尚、ＣＤ及びＤＶＤに対する光ピックアップ装置では、一般的に、半導体レーザ等の光源部と、光検出器等の受光部とを一体的に配置した受発光ユニットが用いられている。このような受発光ユニットにおいて発光部の発熱量が大きいことから、受発光ユニットからの除熱が必要である。一方、上記受発光ユニットは、樹脂材にてモールドされ形成されており、受発光ユニットそのものの放熱性は良好とは言えない。よって、受発光ユニットからの放熱を考慮する必要がある。【０００６】
ＣＤ用の光ピックアップ装置に備わる受発光ユニットは、上記キャリッジを構成する金属製の基台に支持され固定されることから、ＣＤ用受発光ユニットにて生じた熱は、上記基台へ直接に熱伝導可能である（例えば、特許文献１参照）。よって、比較的、上記ＣＤ用受発光ユニットからの放熱性は良好である。【０００７】
一方、ＤＶＤは、ＣＤに比べて高密度に情報が記録されることから、ＤＶＤ用の光ピックアップ装置では、受発光ユニットは、スライド調整及びあおり調整を行う必要がある。ここで、上記スライド調整とは、コリメータレンズ、対物レンズ等の光学系の光軸を調整するための調整であり、ＤＶＤ用受発光ユニットにおけるレーザ光の放射基準面と平行な平面（Ｘ−Ｙ平面）で、ＤＶＤ用受発光ユニットを動かして、上記光軸を補正する調整である。又、上記あおり調整とは、レーザ光源からのレーザの発光角の傾きを補正する調整である。【０００８】
よって、ＤＶＤ用の光ピックアップ装置では、受発光ユニットは、調整時には、基台に対して可動でなければならないことから、上記キャリッジを構成する金属製の基台に受発光ユニットを直接に支持し固定することはできない。したがって、ＤＶＤ用の受発光ユニットからの放熱が問題となることから、これを解決するための複数の提案がなされている。尚、調整終了後には、受発光ユニットは基台に固定される。【０００９】
例えば、特許文献２では、図１５から図１７に示すような構成が開示されている。ここで、図１６は、光ピックアップの下面側から見た図であり、図１７は、図１６に示す光ピックアップの下面と上面とを逆にして、上面側から見た図である。又、図１５は、キャリッジ７を図１７に示す状態で搭載した光ピックアップ装置４の斜視図である。又、図１６及び図１７に示す構成において、符号１１は金属製の基台であり、符号１３はＣＤ用受発光ユニットであり、符号１４はＤＶＤ用受発光ユニットであり、符号１５はあおり調整部材であり、符号１６はスライド調整部材であり、符号２１は放熱フィンである。【００１０】
図１６及び図１７に示す構成では、ＤＶＤ用受発光ユニット１４の発光面とは反対側には、ＤＶＤ用受発光ユニット１４側から順に第１放熱シート１７と放熱ベース１８が取り付けられ、これらは押さえばね１９によってＤＶＤ用受発光ユニット１４に押圧され、支持される。よって第１放熱シート１７は、ＤＶＤ用受発光ユニット１４の発光面とは反対側の面に接触する。このように、押さえばね１９を使用することで、第１放熱シート１７をＤＶＤ用受発光ユニット１４に接触させて放熱性を確保し、かつＤＶＤ用受発光ユニット１４のスライド調整及びあおり調整を可能にしている。【００１１】
さらに、ＤＶＤ用受発光ユニット１４、及びあおり調整部材１５の下面を覆うようにして、第２放熱シート２０が取り付けられている。尚、ここで下面とは、図１６で見たときの上面に相当する。この第２放熱シート２０は、ＤＶＤ用レーザユニット１４で発生した熱を、あおり調整部材１５を介して熱容量の大きい基台１１に効率よく伝導させるためのものであり、グラファイト等の放熱性に優れた材質によって形成されている。尚、ＤＶＤ用受発光ユニット１４のスライド調整及びあおり調整を可能にするため、第２放熱シート２０は、ＤＶＤ用受発光ユニット１４と直接に接触していない。
【特許文献１】特開平１０−８３５５１号公報
【特許文献２】特開２００５−１９６８６０号公報
【発明の開示】
【発明が解決しようとする課題】
【００１２】
上述した図１５〜図１７に示される従来の構成によっても、ＤＶＤ用受発光ユニットに付随してスライド調整部材及びあおり調整部材を備えた光ピックアップ装置の動作には十分な程度の、ＤＶＤ用受発光ユニットの放熱性能は確保されている。
しかしながら、上述したように、あくまで第１放熱シート１７は、押さえばね１９により押圧されてＤＶＤ用受発光ユニット１４に接触して放熱性を確保している。又、第２放熱シート２０は、単に、ＤＶＤ用受発光ユニット１４及びあおり調整部材１５の下面を覆うように取り付けられているだけである。このとき、放熱シート２０と、ＤＶＤ用受発光ユニット１４及びあおり調整部材１５の下面との間には、ＤＶＤ用受発光ユニット１４からあおり調整部材１５への熱伝達を良好にするための媒体、例えばグリス等が設けられる場合もあるが、上記媒体が十分な熱伝導率を有するとは言えない。
したがって、ＤＶＤ用受発光ユニットの放熱性をさらに向上させる余地は、未だ存在している。【００１３】
そこで本発明は、より放熱効率の向上が可能な光ピックアップ装置、及びこのような光ピックアップ装置を備えた光ディスク装置を提供することを目的とする。
【課題を解決するための手段】
【００１４】
上記目的を達成するため、本発明は以下のように構成する。
即ち、本発明の第１態様の光ピックアップ装置は、基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材とを備えた光ピックアップ装置において、
上記レーザユニットのレーザ光放射面に対向する放熱面及び上記調整部材に直接に接触し上記放熱面から上記調整部材へ熱を伝導する放熱部材を備えたことを特徴とする。【００１５】
又、上記放熱部材は、Ｌ字型の形状にてなり、上記放熱面に固定される一端部と、上記調整部材に接触する他端部とを有することもできる。【００１６】
又、上記光学系は、上記光ディスクへ上記レーザ光を合焦させる対物レンズを有し、
上記調整部材は、上記光学系の光軸を調整するため上記レーザユニットを可動とするスライド調整部材と、あおり調整を行うあおり調整部材とを有し、
上記放熱部材は、上記あおり調整部材に直接に接触することもできる。【００１７】
又、上記放熱部材は、上記あおり調整部材と一体的に成型することもできる。【００１８】
又、上記基台、上記放熱部材、及び上記調整部材は金属製であってもよい。【００１９】
又、本発明の第２態様の光ディスク装置は、上記第１態様の光ピックアップ装置と、
上記光ピックアップ装置から得られる信号が供給され、該信号に基づいて光ディスクの回転制御、並びに、光学レンズのフォーカシング及びトラッキングの制御を行う制御回路と、
を備えたことを特徴とする。【００２０】
さらに又、本発明の第３態様における光ピックアップ装置は、
基台と、
上記基台の内側へ向けてレーザ光放射面からレーザ光を発するレーザ光源を有しかつ上記レーザ光放射面に対向する放熱面を上記基台の外側に向けて上記基台に配置されるレーザユニットと、
上記レーザユニットを上記基台に固定しかつ上記放熱面から上記基台へ熱を伝導する部材であって、上記放熱面に固定される放熱面固定部、及び、上記レーザ光源から放射されるレーザ光の光軸方向へ上記放熱面固定部から屈曲して上記基台へ延在し上記基台に固定される基台固定部を有する放熱固定部材と、
上記基台に設けられ上記レーザユニットと光ディスクとの間でレーザ光を伝搬する光学系と、
を備えたことを特徴とする。
【発明の効果】
【００２１】
上記第１態様の光ピックアップ装置によれば、放熱部材は、レーザユニットの放熱面に直接に固定されかつ調整部材へ熱伝達を行う。調整部材は、熱容量の大きい基台に直接に取り付けられていることから、調整部材に伝導した熱は、効率よく基台へ放散される。従来の、グリス等の媒体を介した間接的な放熱、あるいはレーザユニットの放熱面との不確実な接続による放熱に比べて、第１態様の光ピックアップ装置では、放熱部材は、レーザユニットの放熱面に確実に接触して調節部材に取り付けられることから、レーザユニットの放熱を効率的に行うことができる。【００２２】
放熱部材をＬ字型の断面を有する部材とすることで、発熱源であるレーザユニットと、放熱される調整部材とを最短距離にて接続することができ、少ないスペースに放熱部材を配置することができる。よって、装置全体のコンパクト化を図ることが可能となる。【００２３】
さらに、調整部材を構成するあおり調整部材に放熱部材を接触させることで、レーザユニット、放熱部材、及びあおり調整部材を一体的に構成することができ、光ピックアップ装置の製造の容易化、コンパクト化を図ることができる。【００２４】
又、上記第２態様の光ディスク装置によれば、上述したようにレーザユニットの放熱効率が従来に比べて良好な光ピックアップ装置を備えたことから、動作安定性により優れた光ディスク装置を提供することができる。【００２５】
さらに、第３態様の光ピックアップ装置によれば、放熱固定部材は、レーザユニットの放熱面に固定される放熱面固定部と、該放熱面固定部から屈曲して基台へ延在し基台に固定される基台固定部とを有する。よって、放熱固定部材は、レーザユニットを基台に固定するとともに、レーザユニットの放熱面から基台へ熱を効率的に伝導することができる。又、放熱固定部材は、放熱面固定部から屈曲して基台へ延在する形状であることから、背面に放熱面を有するレーザユニットの基台への固定及び放熱をコンパクトな構成にて行うことを可能とする。
【図面の簡単な説明】
【００２６】
【図１】本発明の実施形態における光ピックアップ装置に備わるレーザユニット部分の構成を示す断面図である。
【図２】本発明の実施形態における光ピックアップ装置のキャリッジ部分の斜視図である。
【図３】図２に示す光ピックアップ装置のキャリッジ部分に搭載されている光学系の概念図である。
【図４】本発明の実施形態における光ピックアップ装置を備えた光ディスク装置の構成を示すブロック図である。
【図５】図４に示す光ディスク装置を備えた構成の一例としてのコンピュータ構成を示す斜視図である。
【図６】図４に示す光ディスク装置を備えた構成の一例としての光ディスクプレーヤー構成を示す斜視図である。
【図７】図４に示す光ディスク装置を備えた構成の一例としての光ディスクレコーダー構成を示す斜視図である。
【図８Ａ】図１等に示す放熱部材の一例を示す斜視図である。
【図８Ｂ】図８Ａに示す放熱部材をレーザユニット及びあおり調整部材に取り付けた状態を示す斜視図である。
【図８Ｃ】図８Ａに示す放熱部材をレーザユニット及びあおり調整部材に取り付けた状態を示す斜視図である。
【図９Ａ】図１等に示す放熱部材の他の例を示す斜視図である。
【図９Ｂ】図９Ａに示す放熱部材をレーザユニット及びあおり調整部材に取り付けた状態を示す斜視図である。
【図１０Ａ】図１等に示す放熱部材の他の例を示す斜視図である。
【図１０Ｂ】図１０Ａに示す放熱部材をレーザユニット及びあおり調整部材に取り付けた状態を示す斜視図である。
【図１０Ｃ】図１等に示す放熱部材の他の例を示す斜視図である。
【図１０Ｄ】図１０Ｃに示す放熱部材をレーザユニット及びあおり調整部材に取り付けた状態を示す斜視図である。
【図１０Ｅ】図１等に示す放熱部材の他の例を示す斜視図である。
【図１０Ｆ】図１０Ｅに示す放熱部材をレーザユニット及びあおり調整部材に取り付けた状態を示す斜視図である。
【図１０Ｇ】図１等に示す放熱部材の他の例を示す斜視図である。
【図１０Ｈ】図１０Ｇに示す放熱部材をレーザユニット及びあおり調整部材に取り付けた状態を示す斜視図である。
【図１０Ｉ】図１等に示す放熱部材の他の例を示す斜視図である。
【図１０Ｊ】図１０Ｉに示す放熱部材をレーザユニット及びあおり調整部材に取り付けた状態を示す斜視図である。
【図１１Ａ】図１等に示す放熱部材をレーザユニット及びあおり調整部材に取り付けた構成部分に対して、放熱用グリスを塗布する場所を説明するための斜視図である。
【図１１Ｂ】図１１Ａに示す構成部分の背面側を示した斜視図である。
【図１１Ｃ】図１等に示す放熱部材をレーザユニット及びあおり調整部材に取り付けた構成部分に対して、放熱用グリスを塗布する場所を説明するための斜視図である。
【図１１Ｄ】図１等に示す放熱部材をレーザユニット及びあおり調整部材に取り付けた構成部分に対して、放熱用グリスを塗布する場所を説明するための斜視図である。
【図１１Ｅ】図１等に示す放熱部材をレーザユニット及びあおり調整部材に取り付けた構成部分に対して、放熱用グリスを塗布する場所を説明するための斜視図である。
【図１２】図１等に示す放熱部材を設けた構成における温度変化を示すグラフである。
【図１３Ａ】本発明の実施形態における光ピックアップ装置に備わるレーザユニット部分の別の構成を示す断面図である。
【図１３Ｂ】図１３Ａに示す構成の変形例を示す断面図である。
【図１３Ｃ】図１３Ｂに示す構成の変形例を示す断面図である。
【図１３Ｄ】図１３Ａに示す構成の変形例を示す断面図である。
【図１４】従来の光ディスク装置を示す斜視図である。
【図１５】図１４に示す光ディスク装置に備わる光ピックアップ装置の斜視図である。
【図１６】図１５に示す光ピックアップ装置のキャリッジ部分を示す斜視図であり、キャリッジ部分に備わるレーザユニットの放熱用の部材を説明するための図である。
【図１７】図１６に示すキャリッジ部分を表裏逆向きに示した斜視図である。
【符号の説明】
【００２７】
１０１…光ピックアップ装置、１１０…基台、１３０…光ディスク、
１４０…ＣＤ及びＤＶＤ用光学系構成、１４１…第１レーザユニット、
１４１ａ…レーザ光放射面、１４１ｂ…放熱面、１４２…調整部材、
１４４…対物レンズ、１４６…放熱部材、１４６ａ…一端部、１４６ｂ…他端部、
１５０…光ディスク装置、１５１…制御回路、
１４２１…あおり調整部材、１４２２…スライド調整部材。
【発明を実施するための最良の形態】
【００２８】
本発明の実施形態である光ピックアップ装置、及び該光ピックアップ装置を備えた光ディスク装置について、図を参照しながら以下に説明する。尚、各図において、同一又は同様の構成部分については同じ符号を付している。
又、以下に説明する実施形態では、青色レーザを使用するＢＤ用の光ピックアップと、ＣＤ及びＤＶＤ用の光ピックアップとが一体的に形成された光ピックアップ装置を例に採るが、光ピックアップ装置の形態はこれに限定するものではなく、ＤＶＤ用、ＣＤ用、ＢＤ用のそれぞれ専用の光ピックアップ装置であってもよいし、これら３種類を任意に組み合わせてなる光ピックアップ装置であってもよい。【００２９】
図２及び図３には、本実施形態の上記光ピックアップ装置１０１の主要部分である、いわゆるキャリッジ１０７の部分を図示している。光ピックアップ装置１０１も、キャリッジ１０７の他、光ディスクを回転駆動させるスピンドルモータ、キャリッジ１０７を移動可能に支持する複数の案内シャフト１０６、等を備え、図１５に示す従来の光ピックアップ装置４に類似する外観にて構成される。このように構成される光ピックアップ装置１０１は、図４に示す構成を備えた光ディスク装置１５０に備わる。【００３０】
図２は、光ピックアップ装置１０１におけるキャリッジ１０７を、紙面に略平行で紙面上方に位置する光ディスク（図示せず）側から見たキャリッジ１０７の斜視図であり、図３には、そのキャリッジ１０７に搭載される、光ピックアップに関する光学系構成の概略を示している。尚、図３では、図示の都合上、光ピックアップ装置１０１の基台１１０は図示を省略している。又、上述のように、本実施形態の光ピックアップ装置１０１は、ＢＤ用の光学系構成と、ＣＤ及びＤＶＤ用の光学系構成とが一体的に形成された光ピックアップ装置である。【００３１】
まず、光ピックアップ装置１０１のキャリッジ１０７部分の全体構成、及び動作を簡単に説明し、その次に、本実施形態の光ピックアップ装置１０１において特徴的な構成部分である放熱部材について説明を行う。【００３２】
キャリッジ１０７は、大きく分類して、シャフト１０６に支持され本実施形態では金属製の基台１１０と、該基台１１０に搭載されるＢＤ用の光学系構成１２０、並びに基台１１０に搭載されるＣＤ及びＤＶＤ用の光学系構成１４０とを有する。【００３３】
ＢＤ用の光学系構成１２０は、例えば、波長４０５ｎｍの青色レーザ光と、ＮＡ（開口数）０．８５の対物レンズとを使用することによって現在のＤＶＤの記録密度の５倍の記録密度を達成する光学系構成である。
図２及び図３において、光学系構成１２０は、上記青色レーザ光を放射する半導体レーザ素子を有する光源１２１、偏光ビームスプリッタ１２２、コリメートレンズ１２３、立ち上げプリズム１２４、波長板１２５、対物レンズ１２６、及び光検出器１２７、等を備える。又、符号１２８は、球面収差を補正するために、コリメートレンズ１２３をその光軸方向に移動させるためのモータである。【００３４】
このようなＢＤ用の光学系構成１２０では、光源１２１から放射された光ビーム１２９は、偏光ビームスプリッタ１２２を通過後、コリメートレンズ１２３によって平行光に変換され、立ち上げプリズム１２４にて光軸を記録密度の高い光ディスク１３０に対して直角の方向に折り曲げる。対物レンズ１２６は、光ビームを光ディスク１３０の記録面上に収束させる。【００３５】
光ディスク１３０の記録面にて反射された光ビームは、元の光路を逆にたどり、波長板１２５にて位相シフトされることで、偏光ビームスプリッタ１２２などの分岐手段によってはじめとは別の方向に分岐され、光検出器１２７へ導かれる。光検出器１２７は、光ビームを光電変換し、情報信号、並びに、焦点制御のためのフォーカスエラー信号、及びトラッキング制御のためのトラッキング信号のサーボ信号を得るための電気信号を生成する。【００３６】
ＣＤ及びＤＶＤ用の光学系構成１４０は、例えば波長６８０ｎｍの赤色レーザ光にて情報の記録再生を行うＤＶＤ用の光学系と、例えば波長７８０ｎｍの赤外レーザ光にて情報の記録再生を行うＣＤ用の光学系とを有する。このようなＣＤ及びＤＶＤ用の光学系構成１４０は、第１レーザユニット１４１、調整部材１４２、コリメートレンズ１４３、立ち上げプリズム１２４（ＢＤ用光学系構成１２０と共用）、対物レンズ１４４、及び第２レーザユニット１４５、等を備える。【００３７】
ここで、第１レーザユニット１４１は、ＤＶＤ用の例えば波長６８０ｎｍの赤色レーザ光を放射する半導体レーザ素子を有する光源と、ＤＶＤにて反射したレーザ光を受光する光検出器とを一体的に形成した素子である。又、第２レーザユニット１４５は、ＣＤ用の例えば波長７８０ｎｍの赤外レーザ光を放射する半導体レーザ素子を有する光源と、ＣＤにて反射したレーザ光を受光する光検出器とを一体的に形成した素子である。これらの第１レーザユニット１４１及び第２レーザユニット１４５は、上記光源及び上記光検出器が樹脂にて一体的にモールドされ、図１に示すように、第１レーザユニット１４１及び第２レーザユニット１４５のレーザ光放射面１４１ａに対向する放熱面１４１ｂ側には、金属製の放熱板１４１１が取り付けられている。又、放熱板１４１１は、電気信号用の共通端子、例えばグランド端子を兼ねることもできる。尚、図１では、第１レーザユニット１４１の場合を示している。
又、以下の説明において、図３に示す、符号１３１は、赤色レーザ光にて情報の記録、再生が行われる光ディスクつまり普通のＤＶＤを示し、符号１３２は、赤外レーザ光にて情報の記録、再生が行われる光ディスクつまりＣＤを示す。【００３８】
又、上記調整部材１４２は、第１レーザユニット１４１と基台１１０との間に挟まれて設けられ、第１レーザユニット１４１に取り付けられるあおり調整部材１４２１と、基台１１０に対してＴ方向及びＲ方向に摺動可能に取り付けられあおり調整部材１４２１に接触するスライド調整部材１４２２とを有する。尚、本実施形態では、あおり調整部材１４２１及びスライド調整部材１４２２は、ともに金属製である。【００３９】
ここで、あおり調整部材１４２１は、第１レーザユニット１４１からの光軸の傾きを調整するための部材である。ＣＤ１３２は、ＤＶＤ１３１に比してトラックピッチが広いことから、本実施形態では、ＣＤ用の第２レーザユニット１４５にはあおり調整部材１４２１は設けていない。一方、ＤＶＤ１３１ではトラックピッチが狭く、情報の安定した記録、再生を行うために、あおり調整は不可欠である。尚、あおり調整は、スキュー調整とも呼ばれる。又、ＣＤ用の第２レーザユニット１４５にあおり調整部材１４２を設けても勿論良い。【００４０】
又、スライド調整部材１４２２は、上記光学系構成の光軸を調整するため第１レーザユニット１４１をＴ方向及びＲ方向に可動とする部材である。
尚、図３に示される上述のＴ方向とは、トラッキング方向であり、対物レンズ１２６又は１４４の光軸に対して垂直であり、かつ、光ディスク１３０〜１３２のトラック溝方向に平行な方向である。又、上述のＲ方向とは、ラジアル方向であり、Ｔ方向に垂直な方向であり、対物レンズ１２６又は１４４の位置において、光ディスク１３０〜１３２のトラック溝方向に対して垂直な方向である。【００４１】
このように構成されるＣＤ及びＤＶＤ用の光学系構成１４０の内、第１レーザユニット１４１の光源から放射された光ビーム１４８は、コリメートレンズ１４３によって平行度が例えば略平行光に変換され、立ち上げプリズム１２４にて、光ディスク１３１（例えばＤＶＤ）に対して直角の方向に折り曲げられる。対物レンズ１４４は、光ビームを光ディスク１３１の記録面上に収束させる。光ディスク１３１の記録面にて反射された光ビームは、元の光路を逆にたどり、偏光ホログラムなどの分岐手段によって、初めとは別の方向に分岐され、第１レーザユニット１４１に備わる光検出器によって光電変換される。上記光検出器では、情報信号、サーボ信号（焦点制御のためのフォーカスエラー信号や、トラッキング制御のためのトラッキング信号）を得るための電気信号が生成される。【００４２】
又、上述のように構成されるＣＤ及びＤＶＤ用の光学系構成１４０の内、第２レーザユニット１４５の光源から放射された光ビーム１４９についても、上述の第１レーザユニット１４１の場合と同様の作用を行う。つまり、コリメートレンズ１４３によって平行度が、例えば略平行光に変換され、光ビームは、立ち上げプリズム１２４にて、光ディスク１３２（例えばＣＤ）に対して直角の方向に折り曲げられ、対物レンズ１４４にて光ディスク１３２の記録面上に収束される。光ディスク１３２の記録面にて反射された光ビームは、元の光路を逆にたどり、第２レーザユニット１４５に備わる光検出器によって光電変換される。上記光検出器では、情報信号、サーボ信号（焦点制御のためのフォーカスエラー信号や、トラッキング制御のためのトラッキング信号）を得るための電気信号が生成される。【００４３】
尚、ＢＤ用の光学系構成１２０、並びに、ＣＤ及びＤＶＤ用の光学系構成１４０に備わる対物レンズ１２６，１４４は、当該光ピックアップ装置１０１に備わる対物レンズ駆動装置（不図示）に備わり、光ディスク１３０〜１３２の記録面と直交するフォーカシング方向Ｆ、及び上記Ｔ（トラッキング）方向に移動可能である。【００４４】
次に、上述のような構成及び動作を有する本実施形態の光ピックアップ装置１０１において特徴的な構成部分について説明する。
即ち、第１レーザユニット１４１及び第２レーザユニット１４５には、図３に示すように、放熱部材１４６，１４７が取り付けられている。該放熱部材１４６，１４７は、第１レーザユニット１４１及び第２レーザユニット１４５に備わる特に各光源にて発生する熱を、金属製であり熱容量の大きい当該光ピックアップ装置１０１の基台１１０へ効率良く伝達し、第１レーザユニット１４１及び第２レーザユニット１４５の除熱を行う部材である。【００４５】
図１には、ＣＤ及びＤＶＤ用の光学系構成１４０の内、第１レーザユニット１４１付近の構成部分について放熱部材１４６を含めて図示している。又、図１は、図２に示す第１レーザユニット１４１付近の構成部分を、第１レーザユニット１４１から放射されたレーザ光１４８の光軸に平行に切断した断面を示している。【００４６】
図１に示すように、又、上述したように、第１レーザユニット１４１には、放射されたレーザ光１４８の進行方向に沿って、第１レーザユニット１４１のレーザ光放射面１４１ａには、金属製のあおり調整部材１４２１が取り付けられ、該あおり調整部材１４２１に接触するようにして、金属製のスライド調整部材１４２２が基台１１０に摺動可能に取り付けられている。又、第１レーザユニット１４１の放熱面１４１ｂに露出している放熱板１４１１を含め放熱面１４１ｂを覆い、金属製でＬ字型の放熱部材１４６の一端部１４６ａが放熱面１４１ｂに直接に固定されている。上記一端部１４６ａに対して屈曲しレーザ光１４８の光軸方向に沿って基台１１０側へ延在した、Ｌ字型の放熱部材１４６の他端部１４６ｂは、調整部材１４２に直接に接触する。本実施形態では、調整部材１４２の内、あおり調整部材１４２１に直接に接触している。尚、放熱部材１４６の他端部１４６ｂと、あおり調整部材１４２１との接触に際し、他端部１４６ｂと、あおり調整部材１４２１との間に熱伝導性のグリスを塗布することもできる。尚、他端部１４６ｂと、あおり調整部材１４２１との接触とは、両者が完全に接触している状態、さらには両者がほぼ近接した状態で接している状態をいう。【００４７】
又、例えば本実施形態におけるＣＤ用の第２レーザユニット１４５のように、あおり調整部材が存在しない場合には、放熱部材１４６の他端部１４６ｂは、スライド調整部材に接触することになる。
又、放熱部材１４６を形成する金属としては、熱伝導率の良い金属、例えば銅、アルミニウム、銀、これらの合金、等が使用可能である。又、放熱板１４１１は、入手が容易であり、加工や成型がし易い、例えば亜鉛、マグネシウム、黄銅といった金属材料であってもよい。【００４８】
又、本実施形態では、あおり調整部材１４２１と放熱部材１４６とは、別個の部材にて形成されているが、あおり調整部材１４２１と放熱部材１４６とを一体的に成型した一つの部材とすることもできる。尚、上述のように、あおり調整部材１４２１を設けない場合には、スライド調整部材１４２２と放熱部材１４６とを一体的に成型してもよい。
このように調整部材１４２と放熱部材１４６とを一体的に成型することで、光ピックアップ装置の製造の容易化、及びコンパクト化を図ることができる。【００４９】
上述のように、放熱部材１４６により第１レーザユニット１４１と一体化したあおり調整部材１４２１は、放熱部材１４６と、該放熱部材１４６に対向する、基台１１０の一部分１１１との間に設けた、例えば板バネにて構成される押圧部材１１２にて、あおり調整が可能なように回転可能にしてスライド調整部材１４２２に押圧され、支持される。尚、あおり調整部材１４２１におけるあおり調整用の回転動作が滑らかに行われるように、押圧部材１１２は、放熱部材１４６に対して点接触するのが好ましい。このことから、放熱部材１４６から押圧部材１１２を介して基台１１０の一部分１１１への放熱は、殆ど期待できない。
尚、押圧部材１１２は、板バネに限定されるものではなく、上述の作用を行う部材であればその形態は問わない。【００５０】
以上説明したように、第１レーザユニット１４１の放熱面１４１ｂから調整部材１４２、本実施形態ではあおり調整部材１４２１へ熱が伝導するように放熱部材１４６を設け、かつ放熱部材１４６は、放熱面１４１ｂに直接に固定され、かつあおり調整部材１４２１に直接に接触されることから、第１レーザユニット１４１にて生じた熱は、放熱部材１４６を通して確実にかつ効率的にあおり調整部材１４２１へ伝達される。あおり調整部材１４２１、及びあおり調整部材１４２１に接触し金属製の基台１１０に取り付けられているスライド調整部材１４２２は、ともに金属製であることから、あおり調整部材１４２１に伝達された熱は、スライド調整部材１４２２を介して確実かつ効率的に、熱容量の大きな基台１１０へ伝導する。このようにして、第１レーザユニット１４１にて生じた熱は、確実かつ効率的に基台１１０へ伝達され、第１レーザユニット１４１は、従来に比べてより効率的に除熱可能である。【００５１】
第２レーザユニット１４５についても、上述の第１レーザユニット１４１の場合とほぼ同様に構成される。但し、調整部材１４２において、本実施形態ではあおり調整部材は設けていない。よって、第２レーザユニット１４５の放熱面を覆い、放熱部材１４６と同様の材料にてなる放熱部材１４７の一端部が上記放熱面に固定され、Ｌ字型の放熱部材１４７の他端部が調整部材１４２に接触される。又、図２に示すように、押圧部材１１２のような板バネ状の押圧部材１１３にて、一体化した、調整部材１４２、第２レーザユニット１４５及び放熱部材１４７が基台１１０へ押圧され支持される。
したがって、第２レーザユニット１４５に生じた熱も、放熱部材１４７を介して調整部材１４２へ、さらに基台１１０へ伝導され、第２レーザユニット１４５は、より効率的に除熱されることができる。【００５２】
又、放熱部材１４６、１４７をＬ字型の形状の部材とすることで、発熱源であるレーザユニット１４１、１４５と、放熱される調整部材とを最短距離にて接続することができ、少ないスペースに放熱部材１４６を配置することができる。よって、光ピックアップ装置１０１全体のコンパクト化を図ることが可能となる。【００５３】
図１から図３では、放熱部材１４６、１４７を概略的に示しているが、放熱部材１４６、１４７は、例えば図８Ａ〜図１０Ｊに示すような形状例、形態例を採ることができる。尚、図８Ａ〜図１０Ｊでは、放熱部材１４６及び第１レーザユニット１４１周り部分を例に採り説明を行うが、放熱部材１４７及び第２レーザユニット１４５周り部分に対しても同様に構成可能である。又、以下に説明する各変形例を適宜組み合わせた構成を採ることも可能である。【００５４】
図８Ａは、第１レーザユニット１４１の放熱面１４１ｂへの接触面積が大きくなるように、Ｌ字型の放熱部材１４６の一端部１４６の幅を他端部１４６ｂの幅よりも大きくした放熱部材１４６−１を示している。又、図８Ｂ及び図８Ｃは、第１レーザユニット１４１及びあおり調整部材１４２１に、そのような放熱部材１４６−１を取り付けた状態を示している。尚、図８Ｂは他端部１４６ｂを鉛直方向において下側に、図８Ｂは上側に配置して、放熱部材１４６−１を取り付けた状態を示している。
このような放熱部材１４６−１は、放熱部材１４６に比べて第１レーザユニット１４１の放熱面１４１ｂへの接触面積が大きいことから、放熱性に優れるという効果を有する。【００５５】
又、図８Ｂ及び図８Ｃに示すように、第１レーザユニット１４１には、光源及び光検出器用の接続端子１４１２が突設されている。よって、放熱部材１４６−１における他端部１４６ｂは、接続端子１４１２を避けて配置される。該配置によれば、他端部１４６ｂには、接続端子１４１２との干渉防止用の切欠等を形成する必要がなく、又、放熱面１４１ｂとあおり調整部材１４２１とを最短距離にて接続することができ光ピックアップ装置１０１全体のコンパクト化を図ることができる。
尚、上記配置は、上述した放熱部材１４６、及び以下に説明する放熱部材１４６の各変形例においても、適用される。【００５６】
図９Ａは、コ字型に成形した放熱部材１４６−２を示し、図９Ｂは、上記放熱部材１４６−２を第１レーザユニット１４１及びあおり調整部材１４２１に取り付けた状態を示している。このような放熱部材１４６−２は、あおり調整部材１４２１と２箇所にて接触することから、放熱部材１４６に比べて放熱性に優れるという効果を有する。【００５７】
図１０Ａは、調整用治具との干渉を避けるための切欠１４６ｃを、放熱部材１４６の他端部１４６ｂの両端部に形成した放熱部材１４６−３を示す。尚、切欠１４６ｃは、半円形の貫通穴として図示するが、その形状は限定するものではない。図１０Ｂは、このような放熱部材１４６−３を第１レーザユニット１４１及びあおり調整部材１４２１に取り付けた状態を示している。勿論、図８Ｃに示すように、放熱部材１４６−３の他端部１４６ｂを上側に配置することもできる。
上述したように、光学系の光軸調整、及び光源からのレーザの発光角の傾き調整を行うため、あおり調整部材１４２１及びスライド調整部材１４２２を微動調整する必要がある。その調整処理のために調整用治具が使用されるが、該調整用治具が放熱部材に干渉するのを防止する必要があり、放熱部材１４６−３における上記切欠１４６ｃは、上記干渉を防止するための切欠である。よって、放熱部材１４６−３によれば、調整部材１４２による調整を容易に行うことが可能となる。【００５８】
上記調整用治具との干渉防止用の切欠を有する放熱部材として、例えば以下のような例も考えられる。これらの放熱部材においても、上記放熱部材１４６−３と同様に、第１レーザユニット１４１及びあおり調整部材１４２１に取り付けることができ、また、上記放熱部材１４６−３と同様の効果を奏することができる。
図１０Ｃは、放熱部材１４６の他端部１４６ｂの中央部分に、他端部１４６ｂを貫通する、例えば円形の穴１４６ｄを形成した放熱部材１４６−４を示している。図１０Ｄは、放熱部材１４６−４を第１レーザユニット１４１及びあおり調整部材１４２１に取り付けた状態を示す。
図１０Ｅは、放熱部材１４６の他端部１４６ｂの中央部分に、他端部１４６ｂを切り欠いた、例えば長穴状の切欠１４６ｅを形成した放熱部材１４６−５を示している。図１０Ｆは、放熱部材１４６−５を第１レーザユニット１４１及びあおり調整部材１４２１に取り付けた状態を示す。
図１０Ｇは、放熱部材１４６の一端部１４６ａの中央部分に、一端部１４６ａを貫通して、例えば四角形の穴１４６ｆを形成した放熱部材１４６−６を示している。図１０Ｈは、放熱部材１４６−６を第１レーザユニット１４１及びあおり調整部材１４２１に取り付けた状態を示す。
図１０Ｉは、放熱部材１４６の一端部１４６ａの中央部分に、一端部１４６ａを切り欠いた、例えば四角形の切欠１４６ｇを形成した放熱部材１４６−７を示している。図１０Ｊは、放熱部材１４６−７を第１レーザユニット１４１及びあおり調整部材１４２１に取り付けた状態を示す。
尚、放熱部材１４６−６、１４９−７では、上記調整用治具は、穴１４６ｆ、切欠１４６ｇを介して第１レーザユニット１４１を微動させ調整を行う。【００５９】
又、上述したそれぞれの放熱部材について、代表して放熱部材１４６を例に採るが、放熱性をより向上させるために放熱部材１４６と、第１レーザユニット１４１及び調整部材１４２との間に放熱用グリスを塗布することもできる。放熱用グリスの塗布例について、図１１Ａから図１１Ｅに示す。
又、上述した図１０Ｃから図１０Ｊに示す放熱部材１４６−４〜１４６−７における穴１４６ｄ、切欠１４６ｅ、穴１４６ｆ、切欠１４６ｇに対して、上記調整用治具による調整処理後、放熱用グリスを注入、塗布することもできる。【００６０】
図１１Ａは、放熱部材１４６と、第１レーザユニット１４１の放熱面１４１ｂとの接触部分に放熱用グリス１８０−１を塗布し、放熱部材１４６の一端部１４６ａの左右端面と上記放熱面１４１ｂとをブリッジするように放熱用グリス１８０−２を塗布し、放熱部材１４６の一端部１４６ａの上端面と上記放熱面１４１ｂとをブリッジするように放熱用グリス１８０−３を塗布した例を示し、さらに、図１１Ｂに示すように、放熱部材１４６の他端部１４６ｂと、あおり調整部材１４２１との間にブリッジ状に放熱用グリス１８０−４、１８０−５を塗布した例を示している。しかしながら図１１Ａ及び図１１Ｂに示す塗布例に限定されず、放熱用グリス１８０−１〜１８０−５（総称して「放熱用グリス１８０」と記す。）が塗布される場所の少なくとも一つの場所に放熱用グリス１８０を塗布するようにしてもよい。又、放熱部材１４６の他端部１４６ｂと、あおり調整部材１４２１との接触面部分に放熱用グリス１８０を介在させてもよい。【００６１】
図１１Ｃは、あおり調整部材１４２１とスライド調整部材１４２２との間にもブリッジ状に放熱用グリス１８１−１を塗布した例を示し、図１１Ｄは、さらに、スライド調整部材１４２２と基台１１０との間にもブリッジ状に放熱用グリス１８１−２を塗布した例を示している。又、図１１Ｅに示すように、放熱部材１４６の一端部１４６ａと、該一端部１４６ａに対向する基台１１０の一部分１１１との間に放熱用グリス１８２を塗布することもできる。勿論、図１１Ｃ〜図１１Ｅに示す形態と、図１１Ａ〜図１１Ｂに示す形態とを適宜組み合わせた形態を採ることもできる。【００６２】
以上説明した種々の放熱部材における形態の内、上述の放熱部材１４６を例に採り、第１レーザユニット１４１の放熱面１４１ｂにおける温度変化グラフを図１２に示している。尚、図１２において、「Ｌ型」と記すものが放熱部材１４６に相当し、「ストレート型」と記すものは、第１レーザユニット１４１の放熱面１４１ｂのみに接触させた、不図示の平板状の放熱板に相当する。又、「＋グリス」との記載は、上記Ｌ型又は上記ストレート型の放熱部材に放熱用のグリスを塗布した場合を示す。
図１２より明らかであるように、放熱部材１４６を取り付け、さらに放熱用グリスを塗布した形態が最も優れた放熱性を有し、又、ストレート型の放熱部材にグリスを塗布した形態よりも放熱性が良好であることから、Ｌ字形状が放熱性に、より有効に寄与していることが分かる。【００６３】
尚、本実施形態において、あおり調整部材１４２１及びスライド調整部材１４２２は、共に金属材料で構成されるとしたが、例えばスライド調整部材１４２２を例えばＰＰＳ（ポリフェニレンサルファイド）のような樹脂材料で構成することもできる。このような構成では、あおり調整やスライド調整のときに金属同士の接触面での摺動による調整ではなく、金属−樹脂間の摺動になるため、潤滑な調整が可能となったり、又、樹脂材料の使用により構成部材の軽量化が図れるという効果がある。又、このような構成においても、金属部材であるあおり調整部材１４２１により、排熱に関わる部材の熱容量が増すという観点からＬ字型の放熱部材を使用することが除熱の向上に効果的である。又、光ピックアップ装置の軽量化のため、光学基台１１０を樹脂材で形成するような場合においても、同様に、金属部材であるあおり調整部材１４２１により、排熱に関わる部材の熱容量が増すという観点からＬ字型の放熱部材を使用することが除熱の向上に効果的である。【００６４】
尚、図２に示され、又、上述したように、ＢＤ用の光学系構成１２０において、現時点では、レーザ光源と光検出器とが樹脂材にて一体的にモールド成型されたレーザユニットは製品化されていない。よって光源部分は、現時点では比較的容易に除熱することができる。しかしながら、将来的に、ＢＤ用の光学系構成においても、レーザ光源と光検出器とが樹脂材にて一体的にモールド成型されたレーザユニットが製品化されるときには、上述した本実施形態における放熱部材１４６の構成を採用することは可能である。【００６５】
又、図２及び図３に示す光ピックアップ装置１０１では、第１レーザユニット１４１に備わりＤＶＤ用の例えば波長６８０ｎｍの赤色レーザ光を放射する半導体レーザ素子を有する光源と、第２レーザユニット１４５に備わりＣＤ用の例えば波長７８０ｎｍの赤外レーザ光を放射する半導体レーザ素子を有する光源とは、別々に構成されている。しかしながら、将来的に一つの光源から複数の波長にて複数種の光を放射可能な光源が開発されたときには、そのような新光源に対しても本発明は適用可能である。さらに、そのような新光源と、ＢＤ用の光学系とを一体化したピックアップ装置に対しても本発明は適用可能である。【００６６】
さらに又、上述した光ピックアップ装置１０１は、第１レーザユニット１４１と基台１１０との間に調整部材１４２を設けた構成に対して、上述のように各種のバリエーションを有することができる放熱部材１４６を取り付けた構成であった。又、第１レーザユニット１４１及び調整部材１４２は、第１レーザユニット１４１の背後から基台１１０へ向けて押圧部材１１２にて押圧されている。しかしながら、放熱部材の設置は、このような構成に限定されるものではない。即ち、調整部材を備えない構成においては、押圧部材１１２による押圧動作は必要ではなく、押圧部材１１２は不要となる。このような構成において第１レーザユニット１４１の放熱面１４１ｂから放熱を行うためには、図１３Ａから図１３Ｄに示すように、基台１１０に直接第１レーザユニット１４１を取り付けた構成に対して放熱部材を設ける構成が有効である。尚、図１３Ａから図１３Ｄに示される構成において、上記放熱部材に対応する部材を放熱固定部材とする。【００６７】
図１３Ａでは、第１レーザユニット１４１は、放熱面１４１ｂを基台１１０の外側に向けて配置され、放熱固定部材１８５にて基台１１０に固定される。放熱固定部材１８５は、第１レーザユニット１４１を基台１１０に固定しかつ上記放熱面１４１ｂから基台１１０へ熱を伝導する部材であり、一体的に形成された放熱面固定部１８５ａ及び基台固定部１８５ｂを有する。放熱面固定部１８５ａは、放熱面１４１ｂに固定される部分であり、基台固定部１８５ｂは、第１レーザユニット１４１のレーザ光源から放射されるレーザ光の光軸方向１８６へ上記放熱面固定部１８５ａから屈曲して基台１１０へ延在し基台１１０に固定される部分である。【００６８】
上述のように放熱固定部材１８５は、第１レーザユニット１４１を基台１１０に固定するとともに、第１レーザユニット１４１の放熱面１４１ｂから基台１１０へ第１レーザユニット１４１の熱を効率的に伝導することができる。又、基台固定部１８５ｂは、放熱面固定部１８５ａから屈曲して基台１１０へ延在する形状であることから、つまり放熱固定部材１８５はＬ字形の形状にてなることから、背面に放熱面１４１ｂを有する第１レーザユニット１４１の基台１１０への固定及び放熱をコンパクトな構成にて行うことを可能とする。【００６９】
尚、図１３Ａでは、基台１１０には、放熱面固定部１８５ａの固定を容易にする脚部１１０ａを設けるが、脚部１１０ａの無い基台１１０に対しても放熱固定部材１８５を取り付けることができる。例えば図１３Ｂに示すように、基台固定部１８５ｂの端部を基台１１０の側面１１０ｂに当接させ固定する形態を採ることもできる。又、図１３Ｃに示すように、基台固定部１８５ｂを基台１１０の側面１１０ｂに沿って屈曲させた屈曲延在部１８５ｃを有する形態を採ることもできる。
図１３Ｂ及び図１３Ｃに示す形態においても、放熱固定部材１８５により、第１レーザユニット１４１の放熱面１４１ｂから基台１１０へ第１レーザユニット１４１の熱を効率的に伝導することができ、第１レーザユニット１４１の基台１１０への固定及び放熱をコンパクトな構成にて行うことを可能とする。【００７０】
又、図１３Ｄに示すように、第１レーザユニット１４１を基台１１０に完全に埋設し、又は不完全に埋設し、放熱固定部材１８５を取り付けた形態を採ることもできる。このような構成においても、放熱固定部材１８５により、第１レーザユニット１４１の放熱面１４１ｂから基台１１０へ第１レーザユニット１４１の熱を効率的に伝導することができ、さらに第１レーザユニット１４１と基台１１０との接触面積が図１３Ａ等の場合に比べて増すことから、より放熱効率を高めることができる。
又、放熱面固定部１８５を有する構成に対して、上述した放熱用グリスを塗布することもできる。【００７１】
上述したように構成される光ピックアップ装置１０１は、例えば図４に示すように、制御回路１５１を有する光ディスク装置１５０に備えることができる。上記制御回路１５１は、光ピックアップ装置１０１から得られる信号が供給され、該信号に基づいて光ディスク１３０〜１３２の回転制御、並びに、光学レンズのフォーカシング及びトラッキングの制御を行う。
光ディスク装置１５０によれば、上述のように光ピックアップ装置１０１は、ＢＤ用の光学系構成１２０及びＣＤ及びＤＶＤ用の光学系構成１４０を有することから、記録密度の異なる複数の光ディスクに対応して、情報処理が可能となるという効果を有する。【００７２】
さらに、上記光ディスク装置１５０を備えた、図５に示すコンピューター１６０、図６に示される光ディスクプレーヤー１６５、及び図７に示す光ディスクレコーダー１７０を構成することができる。これらの装置は、光ピックアップ装置１０１を備えることから、異なる種類の光ディスクを安定に記録あるいは再生でき、広い用途に使用できるという効果を有するものとなる。【００７３】
尚、図５において、符号１６１は、中央演算装置（ＣＰＵ）などの演算装置を示す。又、コンピューター１６０が有線又は無線の入出力端子を備えることで、ネットワーク、すなわち、複数の機器、例えば、コンピューター、電話、テレビチューナー、等と情報をやりとりし、これら複数の機器から共有の情報サーバー（光ディスクサーバー）として利用することも可能となる。【００７４】
又、上記光ディスクプレーヤー１６５は、光ディスク装置１５０から得られる情報信号を画像に変換する変換装置、例えばデコーダーを有する光ディスクプレーヤーとして構成可能である。さらに光ディスクプレーヤー１６５は、例えばカーナビゲーションシステムとしても利用可能であり、又、液晶モニターなどの表示装置を加えた形態も可能である。
又、光ディスクレコーダー１７０では、画像情報を、光ディスク装置１５０によって光ディスクへ記録する情報に変換する変換装置、例えばエンコーダー１７１を有し、さらに、光ディスク装置１５０から得られる情報信号を画像に変換する変換装置、例えばデコーダー１７２も有することにより、既に記録した部分を再生することも可能となる。情報を表示するブラウン管や液晶表示装置、プリンターなどの出力装置を備えてもよい。【００７５】
上述のように光ディスク装置１５０は、基材厚や対応波長、記録密度などの異なる複数種類の光ディスクに対して記録再生が可能である。さらに、この光ディスク装置１５０を用いた互換型光情報装置は、ＣＤ、ＤＶＤ、ＢＤなど多くの規格の光ディスクを扱うことができる。従って、コンピュータ、光ディスクプレーヤー、光ディスクレコーダー、カーナビゲーションシステム、編集システム、データサーバー、ＡＶコンポーネントなど、情報を蓄えるあらゆるシステムに応用展開可能である。【００７６】
なお、上記様々な実施形態のうちの任意の実施形態を適宜組み合わせることにより、それぞれの有する効果を奏するようにすることができる。
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
又、２００６年２月２８日に出願された、日本国特許出願Ｎｏ．特願２００６−０５２７２６号の明細書、図面、特許請求の範囲、及び要約書の開示内容の全ては、参考として本明細書中に編入されるものである。
【産業上の利用可能性】
【００７７】
本発明は、ＣＤやＤＶＤ等の光ディスクとの間で情報の記録及び再生を行う光ディスク装置に備わる光ピックアップ装置、及び該光ピックアップ装置を備えた光ディスク装置に応用可能である。
【図１】
2007099946.tif 000003
【図２】
2007099946.tif 000004
【図３】
2007099946.tif 000005
【図４】
2007099946.tif 000006
【図５】
2007099946.tif 000007
【図６】
2007099946.tif 000008
【図７】
2007099946.tif 000009
【図８Ａ】
2007099946.tif 000010
【図８Ｂ】
2007099946.tif 000011
【図８Ｃ】
2007099946.tif 000012
【図９Ａ】
2007099946.tif 000013
【図９Ｂ】
2007099946.tif 000014
【図１０Ａ】
2007099946.tif 000015
【図１０Ｂ】
2007099946.tif 000016
【図１０Ｃ】
2007099946.tif 000017
【図１０Ｄ】
2007099946.tif 000018
【図１０Ｅ】
2007099946.tif 000019
【図１０Ｆ】
2007099946.tif 000020
【図１０Ｇ】
2007099946.tif 000021
【図１０Ｈ】
2007099946.tif 000022
【図１０Ｉ】
2007099946.tif 000023
【図１０Ｊ】
2007099946.tif 000024
【図１１Ａ】
2007099946.tif 000025
【図１１Ｂ】
2007099946.tif 000026
【図１１Ｃ】
2007099946.tif 000027
【図１１Ｄ】
2007099946.tif 000028
【図１１Ｅ】
2007099946.tif 000029
【図１２】
2007099946.tif 000030
【図１３Ａ】
2007099946.tif 000031
【図１３Ｂ】
2007099946.tif 000032
【図１３Ｃ】
2007099946.tif 000033
【図１３Ｄ】
2007099946.tif 000034
【図１４】
2007099946.tif 000035
【図１５】
2007099946.tif 000036
【図１６】
2007099946.tif 000037
【図１７】
2007099946.tif 000038
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材とを備えた光ピックアップ装置において、
上記レーザユニットのレーザ光放射面に対向する放熱面及び上記調整部材に直接に接触し上記放熱面から上記調整部材へ熱を伝導する放熱部材を備え、該放熱部材は、Ｌ字型の形状にてなり、上記放熱面に固定される一端部と、上記調整部材に接触する他端部とを有することを特徴とする光ピックアップ装置。
【請求項２】
上記光学系は、上記光ディスクへ上記レーザ光を合焦させる対物レンズを有し、
上記調整部材は、上記光学系の光軸を調整するため上記レーザユニットを可動とするスライド調整部材と、あおり調整を行うあおり調整部材とを有し、
上記放熱部材は、上記あおり調整部材に直接に接触する、請求項１記載の光ピックアップ装置。
【請求項３】
上記放熱部材は、上記あおり調整部材と一体的に成型されている、請求項２記載の光ピックアップ装置。
【請求項４】
上記基台、上記放熱部材、及び上記調整部材は金属製である、請求項１記載の光ピックアップ装置。
【請求項５】
基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材と、上記レーザユニットのレーザ光放射面に対向する放熱面及び上記調整部材に直接に接触し上記放熱面から上記調整部材へ熱を伝導する放熱部材と、を有する光ピックアップ装置と、
上記光ピックアップ装置から得られる信号が供給され、該信号に基づいて光ディスクの回転制御、並びに、光学レンズのフォーカシング及びトラッキングの制御を行う制御回路と、を備え、
上記放熱部材は、Ｌ字型の形状にてなり、上記放熱面に固定される一端部と、上記調整部材に接触する他端部とを有することを特徴とする光ディスク装置。
【請求項６】
基台と、
上記基台の内側へ向けてレーザ光放射面からレーザ光を発するレーザ光源を有しかつ上記レーザ光放射面に対向する放熱面を上記基台の外側に向けて上記基台に配置されるレーザユニットと、
上記レーザユニットを上記基台に固定しかつ上記放熱面から上記基台へ熱を伝導する部材であって、上記放熱面に固定される放熱面固定部、及び、上記レーザ光源から放射されるレーザ光の光軸方向へ上記放熱面固定部から屈曲して上記基台へ延在し上記基台に固定される基台固定部を有する放熱固定部材と、
上記基台に設けられ上記レーザユニットと光ディスクとの間でレーザ光を伝搬する光学系と、
を備えたことを特徴とする光ピックアップ装置。
【手続補正２】
【補正対象書類名】明細書
【補正対象項目名】全文
【補正方法】変更
【補正の内容】
【発明の詳細な説明】
【技術分野】
【０００１】
本発明は、ＣＤ（コンパクトディスク）やＤＶＤ（デジタルバーサタイルディスク）等の光ディスクとの間で情報の記録及び再生を行う光ディスク装置、及び該光ディスク装置に備わる光ピックアップ装置に関する。
【背景技術】
【０００２】
ＣＤやＤＶＤ等の光ディスクに対する情報の記録や再生を行う、一般的に用いられている光ディスク装置を図１４に示す。図１４において、光ディスク装置１は、筐体２と、筐体２に出入自在に保持されたトレイ３とを有している。筐体２は、金属製の筐体部２ａ、２ｂを組み合わせた袋状であり、筐体２の開口からトレイ３が出入する構成となっている。トレイ３には、その裏面側から光ピックアップ装置４が取り付けられている。トレイ３の両側部には移動自在にレール３ａが設けられ、このレール３ａは、トレイ３に一体に設けられたレール保持部３ｂに保持されている。
【０００３】
光ピックアップ装置４は，光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は、光ピックアップ装置４に設けられた複数の案内シャフトに移動自在に保持されており、さらに、不図示のフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００４】
キャリッジ７には、高出力のレーザーダイオード等の光源，各種光学部材及び光ディスク上に光スポットを構成する対物レンズなどが搭載されている。光ディスクへの情報記録などを行う際には、高出力の光源や、その光源を駆動するＩＣ等が必要である。その結果、光源やＩＣの発熱がおびただしくなって、記録再生特性に影響を及ぼすことが生じてきている。
【０００５】
尚、ＣＤ及びＤＶＤに対する光ピックアップ装置では、一般的に、半導体レーザ等の光源部と、光検出器等の受光部とを一体的に配置した受発光ユニットが用いられている。このような受発光ユニットにおいて発光部の発熱量が大きいことから、受発光ユニットからの除熱が必要である。一方、上記受発光ユニットは、樹脂材にてモールドされ形成されており、受発光ユニットそのものの放熱性は良好とは言えない。よって、受発光ユニットからの放熱を考慮する必要がある。
【０００６】
ＣＤ用の光ピックアップ装置に備わる受発光ユニットは、上記キャリッジを構成する金属製の基台に支持され固定されることから、ＣＤ用受発光ユニットにて生じた熱は、上記基台へ直接に熱伝導可能である（例えば、特許文献１参照）。よって、比較的、上記ＣＤ用受発光ユニットからの放熱性は良好である。
【０００７】
一方、ＤＶＤは、ＣＤに比べて高密度に情報が記録されることから、ＤＶＤ用の光ピックアップ装置では、受発光ユニットは、スライド調整及びあおり調整を行う必要がある。ここで、上記スライド調整とは、コリメータレンズ、対物レンズ等の光学系の光軸を調整するための調整であり、ＤＶＤ用受発光ユニットにおけるレーザ光の放射基準面と平行な平面（Ｘ−Ｙ平面）で、ＤＶＤ用受発光ユニットを動かして、上記光軸を補正する調整である。又、上記あおり調整とは、レーザ光源からのレーザの発光角の傾きを補正する調整である。
【０００８】
よって、ＤＶＤ用の光ピックアップ装置では、受発光ユニットは、調整時には、基台に対して可動でなければならないことから、上記キャリッジを構成する金属製の基台に受発光ユニットを直接に支持し固定することはできない。したがって、ＤＶＤ用の受発光ユニットからの放熱が問題となることから、これを解決するための複数の提案がなされている。尚、調整終了後には、受発光ユニットは基台に固定される。
【０００９】
例えば、特許文献２では、図１５から図１７に示すような構成が開示されている。ここで、図１６は、光ピックアップの下面側から見た図であり、図１７は、図１６に示す光ピックアップの下面と上面とを逆にして、上面側から見た図である。又、図１５は、キャリッジ７を図１７に示す状態で搭載した光ピックアップ装置４の斜視図である。又、図１６及び図１７に示す構成において、符号１１は金属製の基台であり、符号１３はＣＤ用受発光ユニットであり、符号１４はＤＶＤ用受発光ユニットであり、符号１５はあおり調整部材であり、符号１６はスライド調整部材であり、符号２１は放熱フィンである。
【００１０】
図１６及び図１７に示す構成では、ＤＶＤ用受発光ユニット１４の発光面とは反対側には、ＤＶＤ用受発光ユニット１４側から順に第１放熱シート１７と放熱ベース１８が取り付けられ、これらは押さえばね１９によってＤＶＤ用受発光ユニット１４に押圧され、支持される。よって第１放熱シート１７は、ＤＶＤ用受発光ユニット１４の発光面とは反対側の面に接触する。このように、押さえばね１９を使用することで、第１放熱シート１７をＤＶＤ用受発光ユニット１４に接触させて放熱性を確保し、かつＤＶＤ用受発光ユニット１４のスライド調整及びあおり調整を可能にしている。
【００１１】
さらに、ＤＶＤ用受発光ユニット１４、及びあおり調整部材１５の下面を覆うようにして、第２放熱シート２０が取り付けられている。尚、ここで下面とは、図１６で見たときの上面に相当する。この第２放熱シート２０は、ＤＶＤ用レーザユニット１４で発生した熱を、あおり調整部材１５を介して熱容量の大きい基台１１に効率よく伝導させるためのものであり、グラファイト等の放熱性に優れた材質によって形成されている。尚、ＤＶＤ用受発光ユニット１４のスライド調整及びあおり調整を可能にするため、第２放熱シート２０は、ＤＶＤ用受発光ユニット１４と直接に接触していない。
【特許文献１】特開平１０−８３５５１号公報
【特許文献２】特開２００５−１９６８６０号公報
【発明の開示】
【発明が解決しようとする課題】
【００１２】
上述した図１５〜図１７に示される従来の構成によっても、ＤＶＤ用受発光ユニットに付随してスライド調整部材及びあおり調整部材を備えた光ピックアップ装置の動作には十分な程度の、ＤＶＤ用受発光ユニットの放熱性能は確保されている。
しかしながら、上述したように、あくまで第１放熱シート１７は、押さえばね１９により押圧されてＤＶＤ用受発光ユニット１４に接触して放熱性を確保している。又、第２放熱シート２０は、単に、ＤＶＤ用受発光ユニット１４及びあおり調整部材１５の下面を覆うように取り付けられているだけである。このとき、放熱シート２０と、ＤＶＤ用受発光ユニット１４及びあおり調整部材１５の下面との間には、ＤＶＤ用受発光ユニット１４からあおり調整部材１５への熱伝達を良好にするための媒体、例えばグリス等が設けられる場合もあるが、上記媒体が十分な熱伝導率を有するとは言えない。
したがって、ＤＶＤ用受発光ユニットの放熱性をさらに向上させる余地は、未だ存在している。
【００１３】
そこで本発明は、より放熱効率の向上が可能な光ピックアップ装置、及びこのような光ピックアップ装置を備えた光ディスク装置を提供することを目的とする。
【課題を解決するための手段】
【００１４】
上記目的を達成するため、本発明は以下のように構成する。
即ち、本発明の第１態様の光ピックアップ装置は、基台と、上記基台に設けられレーザ光源を有するレーザユニットと、上記基台に設けられ上記レーザユニットと光ディスクとの間でレーザ光を伝搬する光学系と、上記基台と上記レーザユニットとの間に設けられ上記基台に対して上記レーザユニットを微動自在に支持しかつ上記レーザユニットから放射されたレーザ光の上記光ディスクへの調整を行う調整部材とを備えた光ピックアップ装置において、
上記レーザユニットのレーザ光放射面に対向する放熱面及び上記調整部材に直接に接触し上記放熱面から上記調整部材へ熱を伝導する放熱部材を備え、該放熱部材は、Ｌ字型の形状にてなり、上記放熱面に固定される一端部と、上記調整部材に接触する他端部とを有することを特徴とする。
【００１５】
又、上記光学系は、上記光ディスクへ上記レーザ光を合焦させる対物レンズを有し、
上記調整部材は、上記光学系の光軸を調整するため上記レーザユニットを可動とするスライド調整部材と、あおり調整を行うあおり調整部材とを有し、
上記放熱部材は、上記あおり調整部材に直接に接触することもできる。
【００１６】
又、上記放熱部材は、上記あおり調整部材と一体的に成型することもできる。
【００１７】
又、上記基台、上記放熱部材、及び上記調整部材は金属製であってもよい。
【００１８】
又、本発明の第２態様の光ディスク装置は、上記第１態様の光ピックアップ装置と、
上記光ピックアップ装置から得られる信号が供給され、該信号に基づいて光ディスクの回転制御、並びに、光学レンズのフォーカシング及びトラッキングの制御を行う制御回路と、
を備えたことを特徴とする。
【００１９】
さらに又、本発明の第３態様における光ピックアップ装置は、
基台と、
上記基台の内側へ向けてレーザ光放射面からレーザ光を発するレーザ光源を有しかつ上記レーザ光放射面に対向する放熱面を上記基台の外側に向けて上記基台に配置されるレーザユニットと、
上記レーザユニットを上記基台に固定しかつ上記放熱面から上記基台へ熱を伝導する部材であって、上記放熱面に固定される放熱面固定部、及び、上記レーザ光源から放射されるレーザ光の光軸方向へ上記放熱面固定部から屈曲して上記基台へ延在し上記基台に固定される基台固定部を有する放熱固定部材と、
上記基台に設けられ上記レーザユニットと光ディスクとの間でレーザ光を伝搬する光学系と、
を備えたことを特徴とする。
【発明の効果】
【００２０】
上記第１態様の光ピックアップ装置によれば、放熱部材は、レーザユニットの放熱面に直接に固定されかつ調整部材へ熱伝達を行う。調整部材は、熱容量の大きい基台に直接に取り付けられていることから、調整部材に伝導した熱は、効率よく基台へ放散される。従来の、グリス等の媒体を介した間接的な放熱、あるいはレーザユニットの放熱面との不確実な接続による放熱に比べて、第１態様の光ピックアップ装置では、放熱部材は、レーザユニットの放熱面に確実に接触して調節部材に取り付けられることから、レーザユニットの放熱を効率的に行うことができる。さらに、放熱部材をＬ字型の断面を有する部材とすることで、発熱源であるレーザユニットと、放熱される調整部材とを最短距離にて接続することができ、少ないスペースに放熱部材を配置することができる。よって、装置全体のコンパクト化を図ることが可能となる。
【００２１】
さらに、調整部材を構成するあおり調整部材に放熱部材を接触させることで、レーザユニット、放熱部材、及びあおり調整部材を一体的に構成することができ、光ピックアップ装置の製造の容易化、コンパクト化を図ることができる。
【００２２】
又、上記第２態様の光ディスク装置によれば、上述したようにレーザユニットの放熱効率が従来に比べて良好な光ピックアップ装置を備えたことから、動作安定性により優れた光ディスク装置を提供することができる。
【００２３】
さらに、第３態様の光ピックアップ装置によれば、放熱固定部材は、レーザユニットの放熱面に固定される放熱面固定部と、該放熱面固定部から屈曲して基台へ延在し基台に固定される基台固定部とを有する。よって、放熱固定部材は、レーザユニットを基台に固定するとともに、レーザユニットの放熱面から基台へ熱を効率的に伝導することができる。又、放熱固定部材は、放熱面固定部から屈曲して基台へ延在する形状であることから、背面に放熱面を有するレーザユニットの基台への固定及び放熱をコンパクトな構成にて行うことを可能とする。
【発明を実施するための最良の形態】
【００２４】
本発明の実施形態である光ピックアップ装置、及び該光ピックアップ装置を備えた光ディスク装置について、図を参照しながら以下に説明する。尚、各図において、同一又は同様の構成部分については同じ符号を付している。
【００２５】
又、以下に説明する実施形態では、青色レーザを使用するＢＤ用の光ピックアップと、ＣＤ及びＤＶＤ用の光ピックアップとが一体的に形成された光ピックアップ装置を例に採るが、光ピックアップ装置の形態はこれに限定するものではなく、ＤＶＤ用、ＣＤ用、ＢＤ用のそれぞれ専用の光ピックアップ装置であってもよいし、これら３種類を任意に組み合わせてなる光ピックアップ装置であってもよい。
【００２６】
図２及び図３には、本実施形態の上記光ピックアップ装置１０１の主要部分である、いわゆるキャリッジ１０７の部分を図示している。光ピックアップ装置１０１も、キャリッジ１０７の他、光ディスクを回転駆動させるスピンドルモータ、キャリッジ１０７を移動可能に支持する複数の案内シャフト１０６、等を備え、図１５に示す従来の光ピックアップ装置４に類似する外観にて構成される。このように構成される光ピックアップ装置１０１は、図４に示す構成を備えた光ディスク装置１５０に備わる。
【００２７】
図２は、光ピックアップ装置１０１におけるキャリッジ１０７を、紙面に略平行で紙面上方に位置する光ディスク（図示せず）側から見たキャリッジ１０７の斜視図であり、図３には、そのキャリッジ１０７に搭載される、光ピックアップに関する光学系構成の概略を示している。尚、図３では、図示の都合上、光ピックアップ装置１０１の基台１１０は図示を省略している。又、上述のように、本実施形態の光ピックアップ装置１０１は、ＢＤ用の光学系構成と、ＣＤ及びＤＶＤ用の光学系構成とが一体的に形成された光ピックアップ装置である。
【００２８】
まず、光ピックアップ装置１０１のキャリッジ１０７部分の全体構成、及び動作を簡単に説明し、その次に、本実施形態の光ピックアップ装置１０１において特徴的な構成部分である放熱部材について説明を行う。
【００２９】
キャリッジ１０７は、大きく分類して、シャフト１０６に支持され本実施形態では金属製の基台１１０と、該基台１１０に搭載されるＢＤ用の光学系構成１２０、並びに基台１１０に搭載されるＣＤ及びＤＶＤ用の光学系構成１４０とを有する。
【００３０】
ＢＤ用の光学系構成１２０は、例えば、波長４０５ｎｍの青色レーザ光と、ＮＡ（開口数）０．８５の対物レンズとを使用することによって現在のＤＶＤの記録密度の５倍の記録密度を達成する光学系構成である。
図２及び図３において、光学系構成１２０は、上記青色レーザ光を放射する半導体レーザ素子を有する光源１２１、偏光ビームスプリッタ１２２、コリメートレンズ１２３、立ち上げプリズム１２４、波長板１２５、対物レンズ１２６、及び光検出器１２７、等を備える。又、符号１２８は、球面収差を補正するために、コリメートレンズ１２３をその光軸方向に移動させるためのモータである。
【００３１】
このようなＢＤ用の光学系構成１２０では、光源１２１から放射された光ビーム１２９は、偏光ビームスプリッタ１２２を通過後、コリメートレンズ１２３によって平行光に変換され、立ち上げプリズム１２４にて光軸を記録密度の高い光ディスク１３０に対して直角の方向に折り曲げる。対物レンズ１２６は、光ビームを光ディスク１３０の記録面上に収束させる。
【００３２】
光ディスク１３０の記録面にて反射された光ビームは、元の光路を逆にたどり、波長板１２５にて位相シフトされることで、偏光ビームスプリッタ１２２などの分岐手段によってはじめとは別の方向に分岐され、光検出器１２７へ導かれる。光検出器１２７は、光ビームを光電変換し、情報信号、並びに、焦点制御のためのフォーカスエラー信号、及びトラッキング制御のためのトラッキング信号のサーボ信号を得るための電気信号を生成する。
【００３３】
ＣＤ及びＤＶＤ用の光学系構成１４０は、例えば波長６８０ｎｍの赤色レーザ光にて情報の記録再生を行うＤＶＤ用の光学系と、例えば波長７８０ｎｍの赤外レーザ光にて情報の記録再生を行うＣＤ用の光学系とを有する。このようなＣＤ及びＤＶＤ用の光学系構成１４０は、第１レーザユニット１４１、調整部材１４２、コリメートレンズ１４３、立ち上げプリズム１２４（ＢＤ用光学系構成１２０と共用）、対物レンズ１４４、及び第２レーザユニット１４５、等を備える。
【００３４】
ここで、第１レーザユニット１４１は、ＤＶＤ用の例えば波長６８０ｎｍの赤色レーザ光を放射する半導体レーザ素子を有する光源と、ＤＶＤにて反射したレーザ光を受光する光検出器とを一体的に形成した素子である。又、第２レーザユニット１４５は、ＣＤ用の例えば波長７８０ｎｍの赤外レーザ光を放射する半導体レーザ素子を有する光源と、ＣＤにて反射したレーザ光を受光する光検出器とを一体的に形成した素子である。これらの第１レーザユニット１４１及び第２レーザユニット１４５は、上記光源及び上記光検出器が樹脂にて一体的にモールドされ、図１に示すように、第１レーザユニット１４１及び第２レーザユニット１４５のレーザ光放射面１４１ａに対向する放熱面１４１ｂ側には、金属製の放熱板１４１１が取り付けられている。又、放熱板１４１１は、電気信号用の共通端子、例えばグランド端子を兼ねることもできる。尚、図１では、第１レーザユニット１４１の場合を示している。
又、以下の説明において、図３に示す、符号１３１は、赤色レーザ光にて情報の記録、再生が行われる光ディスクつまり普通のＤＶＤを示し、符号１３２は、赤外レーザ光にて情報の記録、再生が行われる光ディスクつまりＣＤを示す。
【００３５】
又、上記調整部材１４２は、第１レーザユニット１４１と基台１１０との間に挟まれて設けられ、第１レーザユニット１４１に取り付けられるあおり調整部材１４２１と、基台１１０に対してＴ方向及びＲ方向に摺動可能に取り付けられあおり調整部材１４２１に接触するスライド調整部材１４２２とを有する。尚、本実施形態では、あおり調整部材１４２１及びスライド調整部材１４２２は、ともに金属製である。
【００３６】
ここで、あおり調整部材１４２１は、第１レーザユニット１４１からの光軸の傾きを調整するための部材である。ＣＤ１３２は、ＤＶＤ１３１に比してトラックピッチが広いことから、本実施形態では、ＣＤ用の第２レーザユニット１４５にはあおり調整部材１４２１は設けていない。一方、ＤＶＤ１３１ではトラックピッチが狭く、情報の安定した記録、再生を行うために、あおり調整は不可欠である。尚、あおり調整は、スキュー調整とも呼ばれる。又、ＣＤ用の第２レーザユニット１４５にあおり調整部材１４２を設けても勿論良い。
【００３７】
又、スライド調整部材１４２２は、上記光学系構成の光軸を調整するため第１レーザユニット１４１をＴ方向及びＲ方向に可動とする部材である。
尚、図３に示される上述のＴ方向とは、トラッキング方向であり、対物レンズ１２６又は１４４の光軸に対して垂直であり、かつ、光ディスク１３０〜１３２のトラック溝方向に平行な方向である。又、上述のＲ方向とは、ラジアル方向であり、Ｔ方向に垂直な方向であり、対物レンズ１２６又は１４４の位置において、光ディスク１３０〜１３２のトラック溝方向に対して垂直な方向である。
【００３８】
このように構成されるＣＤ及びＤＶＤ用の光学系構成１４０の内、第１レーザユニット１４１の光源から放射された光ビーム１４８は、コリメートレンズ１４３によって平行度が例えば略平行光に変換され、立ち上げプリズム１２４にて、光ディスク１３１（例えばＤＶＤ）に対して直角の方向に折り曲げられる。対物レンズ１４４は、光ビームを光ディスク１３１の記録面上に収束させる。光ディスク１３１の記録面にて反射された光ビームは、元の光路を逆にたどり、偏光ホログラムなどの分岐手段によって、初めとは別の方向に分岐され、第１レーザユニット１４１に備わる光検出器によって光電変換される。上記光検出器では、情報信号、サーボ信号（焦点制御のためのフォーカスエラー信号や、トラッキング制御のためのトラッキング信号）を得るための電気信号が生成される。
【００３９】
又、上述のように構成されるＣＤ及びＤＶＤ用の光学系構成１４０の内、第２レーザユニット１４５の光源から放射された光ビーム１４９についても、上述の第１レーザユニット１４１の場合と同様の作用を行う。つまり、コリメートレンズ１４３によって平行度が、例えば略平行光に変換され、光ビームは、立ち上げプリズム１２４にて、光ディスク１３２（例えばＣＤ）に対して直角の方向に折り曲げられ、対物レンズ１４４にて光ディスク１３２の記録面上に収束される。光ディスク１３２の記録面にて反射された光ビームは、元の光路を逆にたどり、第２レーザユニット１４５に備わる光検出器によって光電変換される。上記光検出器では、情報信号、サーボ信号（焦点制御のためのフォーカスエラー信号や、トラッキング制御のためのトラッキング信号）を得るための電気信号が生成される。
【００４０】
尚、ＢＤ用の光学系構成１２０、並びに、ＣＤ及びＤＶＤ用の光学系構成１４０に備わる対物レンズ１２６，１４４は、当該光ピックアップ装置１０１に備わる対物レンズ駆動装置（不図示）に備わり、光ディスク１３０〜１３２の記録面と直交するフォーカシング方向Ｆ、及び上記Ｔ（トラッキング）方向に移動可能である。
【００４１】
次に、上述のような構成及び動作を有する本実施形態の光ピックアップ装置１０１において特徴的な構成部分について説明する。
即ち、第１レーザユニット１４１及び第２レーザユニット１４５には、図３に示すように、放熱部材１４６，１４７が取り付けられている。該放熱部材１４６，１４７は、第１レーザユニット１４１及び第２レーザユニット１４５に備わる特に各光源にて発生する熱を、金属製であり熱容量の大きい当該光ピックアップ装置１０１の基台１１０へ効率良く伝達し、第１レーザユニット１４１及び第２レーザユニット１４５の除熱を行う部材である。
【００４２】
図１には、ＣＤ及びＤＶＤ用の光学系構成１４０の内、第１レーザユニット１４１付近の構成部分について放熱部材１４６を含めて図示している。又、図１は、図２に示す第１レーザユニット１４１付近の構成部分を、第１レーザユニット１４１から放射されたレーザ光１４８の光軸に平行に切断した断面を示している。
【００４３】
図１に示すように、又、上述したように、第１レーザユニット１４１には、放射されたレーザ光１４８の進行方向に沿って、第１レーザユニット１４１のレーザ光放射面１４１ａには、金属製のあおり調整部材１４２１が取り付けられ、該あおり調整部材１４２１に接触するようにして、金属製のスライド調整部材１４２２が基台１１０に摺動可能に取り付けられている。又、第１レーザユニット１４１の放熱面１４１ｂに露出している放熱板１４１１を含め放熱面１４１ｂを覆い、金属製でＬ字型の放熱部材１４６の一端部１４６ａが放熱面１４１ｂに直接に固定されている。上記一端部１４６ａに対して屈曲しレーザ光１４８の光軸方向に沿って基台１１０側へ延在した、Ｌ字型の放熱部材１４６の他端部１４６ｂは、調整部材１４２に直接に接触する。本実施形態では、調整部材１４２の内、あおり調整部材１４２１に直接に接触している。尚、放熱部材１４６の他端部１４６ｂと、あおり調整部材１４２１との接触に際し、他端部１４６ｂと、あおり調整部材１４２１との間に熱伝導性のグリスを塗布することもできる。尚、他端部１４６ｂと、あおり調整部材１４２１との接触とは、両者が完全に接触している状態、さらには両者がほぼ近接した状態で接している状態をいう。
【００４４】
又、例えば本実施形態におけるＣＤ用の第２レーザユニット１４５のように、あおり調整部材が存在しない場合には、放熱部材１４６の他端部１４６ｂは、スライド調整部材に接触することになる。
又、放熱部材１４６を形成する金属としては、熱伝導率の良い金属、例えば銅、アルミニウム、銀、これらの合金、等が使用可能である。又、放熱板１４１１は、入手が容易であり、加工や成型がし易い、例えば亜鉛、マグネシウム、黄銅といった金属材料であってもよい。
【００４５】
又、本実施形態では、あおり調整部材１４２１と放熱部材１４６とは、別個の部材にて形成されているが、あおり調整部材１４２１と放熱部材１４６とを一体的に成型した一つの部材とすることもできる。尚、上述のように、あおり調整部材１４２１を設けない場合には、スライド調整部材１４２２と放熱部材１４６とを一体的に成型してもよい。
このように調整部材１４２と放熱部材１４６とを一体的に成型することで、光ピックアップ装置の製造の容易化、及びコンパクト化を図ることができる。
【００４６】
上述のように、放熱部材１４６により第１レーザユニット１４１と一体化したあおり調整部材１４２１は、放熱部材１４６と、該放熱部材１４６に対向する、基台１１０の一部分１１１との間に設けた、例えば板バネにて構成される押圧部材１１２にて、あおり調整が可能なように回転可能にしてスライド調整部材１４２２に押圧され、支持される。尚、あおり調整部材１４２１におけるあおり調整用の回転動作が滑らかに行われるように、押圧部材１１２は、放熱部材１４６に対して点接触するのが好ましい。このことから、放熱部材１４６から押圧部材１１２を介して基台１１０の一部分１１１への放熱は、殆ど期待できない。
尚、押圧部材１１２は、板バネに限定されるものではなく、上述の作用を行う部材であればその形態は問わない。
【００４７】
以上説明したように、第１レーザユニット１４１の放熱面１４１ｂから調整部材１４２、本実施形態ではあおり調整部材１４２１へ熱が伝導するように放熱部材１４６を設け、かつ放熱部材１４６は、放熱面１４１ｂに直接に固定され、かつあおり調整部材１４２１に直接に接触されることから、第１レーザユニット１４１にて生じた熱は、放熱部材１４６を通して確実にかつ効率的にあおり調整部材１４２１へ伝達される。あおり調整部材１４２１、及びあおり調整部材１４２１に接触し金属製の基台１１０に取り付けられているスライド調整部材１４２２は、ともに金属製であることから、あおり調整部材１４２１に伝達された熱は、スライド調整部材１４２２を介して確実かつ効率的に、熱容量の大きな基台１１０へ伝導する。このようにして、第１レーザユニット１４１にて生じた熱は、確実かつ効率的に基台１１０へ伝達され、第１レーザユニット１４１は、従来に比べてより効率的に除熱可能である。
【００４８】
第２レーザユニット１４５についても、上述の第１レーザユニット１４１の場合とほぼ同様に構成される。但し、調整部材１４２において、本実施形態ではあおり調整部材は設けていない。よって、第２レーザユニット１４５の放熱面を覆い、放熱部材１４６と同様の材料にてなる放熱部材１４７の一端部が上記放熱面に固定され、Ｌ字型の放熱部材１４７の他端部が調整部材１４２に接触される。又、図２に示すように、押圧部材１１２のような板バネ状の押圧部材１１３にて、一体化した、調整部材１４２、第２レーザユニット１４５及び放熱部材１４７が基台１１０へ押圧され支持される。
したがって、第２レーザユニット１４５に生じた熱も、放熱部材１４７を介して調整部材１４２へ、さらに基台１１０へ伝導され、第２レーザユニット１４５は、より効率的に除熱されることができる。
【００４９】
又、放熱部材１４６、１４７をＬ字型の形状の部材とすることで、発熱源であるレーザユニット１４１、１４５と、放熱される調整部材とを最短距離にて接続することができ、少ないスペースに放熱部材１４６を配置することができる。よって、光ピックアップ装置１０１全体のコンパクト化を図ることが可能となる。
【００５０】
図１から図３では、放熱部材１４６、１４７を概略的に示しているが、放熱部材１４６、１４７は、例えば図８Ａ〜図１０Ｊに示すような形状例、形態例を採ることができる。尚、図８Ａ〜図１０Ｊでは、放熱部材１４６及び第１レーザユニット１４１周り部分を例に採り説明を行うが、放熱部材１４７及び第２レーザユニット１４５周り部分に対しても同様に構成可能である。又、以下に説明する各変形例を適宜組み合わせた構成を採ることも可能である。
【００５１】
図８Ａは、第１レーザユニット１４１の放熱面１４１ｂへの接触面積が大きくなるように、Ｌ字型の放熱部材１４６の一端部１４６の幅を他端部１４６ｂの幅よりも大きくした放熱部材１４６−１を示している。又、図８Ｂ及び図８Ｃは、第１レーザユニット１４１及びあおり調整部材１４２１に、そのような放熱部材１４６−１を取り付けた状態を示している。尚、図８Ｂは他端部１４６ｂを鉛直方向において下側に、図８Ｂは上側に配置して、放熱部材１４６−１を取り付けた状態を示している。
このような放熱部材１４６−１は、放熱部材１４６に比べて第１レーザユニット１４１の放熱面１４１ｂへの接触面積が大きいことから、放熱性に優れるという効果を有する。
【００５２】
又、図８Ｂ及び図８Ｃに示すように、第１レーザユニット１４１には、光源及び光検出器用の接続端子１４１２が突設されている。よって、放熱部材１４６−１における他端部１４６ｂは、接続端子１４１２を避けて配置される。該配置によれば、他端部１４６ｂには、接続端子１４１２との干渉防止用の切欠等を形成する必要がなく、又、放熱面１４１ｂとあおり調整部材１４２１とを最短距離にて接続することができ光ピックアップ装置１０１全体のコンパクト化を図ることができる。
尚、上記配置は、上述した放熱部材１４６、及び以下に説明する放熱部材１４６の各変形例においても、適用される。
【００５３】
図９Ａは、コ字型に成形した放熱部材１４６−２を示し、図９Ｂは、上記放熱部材１４６−２を第１レーザユニット１４１及びあおり調整部材１４２１に取り付けた状態を示している。このような放熱部材１４６−２は、あおり調整部材１４２１と２箇所にて接触することから、放熱部材１４６に比べて放熱性に優れるという効果を有する。
【００５４】
図１０Ａは、調整用治具との干渉を避けるための切欠１４６ｃを、放熱部材１４６の他端部１４６ｂの両端部に形成した放熱部材１４６−３を示す。尚、切欠１４６ｃは、半円形の貫通穴として図示するが、その形状は限定するものではない。図１０Ｂは、このような放熱部材１４６−３を第１レーザユニット１４１及びあおり調整部材１４２１に取り付けた状態を示している。勿論、図８Ｃに示すように、放熱部材１４６−３の他端部１４６ｂを上側に配置することもできる。
上述したように、光学系の光軸調整、及び光源からのレーザの発光角の傾き調整を行うため、あおり調整部材１４２１及びスライド調整部材１４２２を微動調整する必要がある。その調整処理のために調整用治具が使用されるが、該調整用治具が放熱部材に干渉するのを防止する必要があり、放熱部材１４６−３における上記切欠１４６ｃは、上記干渉を防止するための切欠である。よって、放熱部材１４６−３によれば、調整部材１４２による調整を容易に行うことが可能となる。
【００５５】
上記調整用治具との干渉防止用の切欠を有する放熱部材として、例えば以下のような例も考えられる。これらの放熱部材においても、上記放熱部材１４６−３と同様に、第１レーザユニット１４１及びあおり調整部材１４２１に取り付けることができ、また、上記放熱部材１４６−３と同様の効果を奏することができる。
図１０Ｃは、放熱部材１４６の他端部１４６ｂの中央部分に、他端部１４６ｂを貫通する、例えば円形の穴１４６ｄを形成した放熱部材１４６−４を示している。図１０Ｄは、放熱部材１４６−４を第１レーザユニット１４１及びあおり調整部材１４２１に取り付けた状態を示す。
【００５６】
図１０Ｅは、放熱部材１４６の他端部１４６ｂの中央部分に、他端部１４６ｂを切り欠いた、例えば長穴状の切欠１４６ｅを形成した放熱部材１４６−５を示している。図１０Ｆは、放熱部材１４６−５を第１レーザユニット１４１及びあおり調整部材１４２１に取り付けた状態を示す。
図１０Ｇは、放熱部材１４６の一端部１４６ａの中央部分に、一端部１４６ａを貫通して、例えば四角形の穴１４６ｆを形成した放熱部材１４６−６を示している。図１０Ｈは、放熱部材１４６−６を第１レーザユニット１４１及びあおり調整部材１４２１に取り付けた状態を示す。
【００５７】
図１０Ｉは、放熱部材１４６の一端部１４６ａの中央部分に、一端部１４６ａを切り欠いた、例えば四角形の切欠１４６ｇを形成した放熱部材１４６−７を示している。図１０Ｊは、放熱部材１４６−７を第１レーザユニット１４１及びあおり調整部材１４２１に取り付けた状態を示す。
尚、放熱部材１４６−６、１４９−７では、上記調整用治具は、穴１４６ｆ、切欠１４６ｇを介して第１レーザユニット１４１を微動させ調整を行う。
【００５８】
又、上述したそれぞれの放熱部材について、代表して放熱部材１４６を例に採るが、放熱性をより向上させるために放熱部材１４６と、第１レーザユニット１４１及び調整部材１４２との間に放熱用グリスを塗布することもできる。放熱用グリスの塗布例について、図１１Ａから図１１Ｅに示す。
又、上述した図１０Ｃから図１０Ｊに示す放熱部材１４６−４〜１４６−７における穴１４６ｄ、切欠１４６ｅ、穴１４６ｆ、切欠１４６ｇに対して、上記調整用治具による調整処理後、放熱用グリスを注入、塗布することもできる。
【００５９】
図１１Ａは、放熱部材１４６と、第１レーザユニット１４１の放熱面１４１ｂとの接触部分に放熱用グリス１８０−１を塗布し、放熱部材１４６の一端部１４６ａの左右端面と上記放熱面１４１ｂとをブリッジするように放熱用グリス１８０−２を塗布し、放熱部材１４６の一端部１４６ａの上端面と上記放熱面１４１ｂとをブリッジするように放熱用グリス１８０−３を塗布した例を示し、さらに、図１１Ｂに示すように、放熱部材１４６の他端部１４６ｂと、あおり調整部材１４２１との間にブリッジ状に放熱用グリス１８０−４、１８０−５を塗布した例を示している。しかしながら図１１Ａ及び図１１Ｂに示す塗布例に限定されず、放熱用グリス１８０−１〜１８０−５（総称して「放熱用グリス１８０」と記す。）が塗布される場所の少なくとも一つの場所に放熱用グリス１８０を塗布するようにしてもよい。又、放熱部材１４６の他端部１４６ｂと、あおり調整部材１４２１との接触面部分に放熱用グリス１８０を介在させてもよい。
【００６０】
図１１Ｃは、あおり調整部材１４２１とスライド調整部材１４２２との間にもブリッジ状に放熱用グリス１８１−１を塗布した例を示し、図１１Ｄは、さらに、スライド調整部材１４２２と基台１１０との間にもブリッジ状に放熱用グリス１８１−２を塗布した例を示している。又、図１１Ｅに示すように、放熱部材１４６の一端部１４６ａと、該一端部１４６ａに対向する基台１１０の一部分１１１との間に放熱用グリス１８２を塗布することもできる。勿論、図１１Ｃ〜図１１Ｅに示す形態と、図１１Ａ〜図１１Ｂに示す形態とを適宜組み合わせた形態を採ることもできる。
【００６１】
以上説明した種々の放熱部材における形態の内、上述の放熱部材１４６を例に採り、第１レーザユニット１４１の放熱面１４１ｂにおける温度変化グラフを図１２に示している。尚、図１２において、「Ｌ型」と記すものが放熱部材１４６に相当し、「ストレート型」と記すものは、第１レーザユニット１４１の放熱面１４１ｂのみに接触させた、不図示の平板状の放熱板に相当する。又、「＋グリス」との記載は、上記Ｌ型又は上記ストレート型の放熱部材に放熱用のグリスを塗布した場合を示す。
図１２より明らかであるように、放熱部材１４６を取り付け、さらに放熱用グリスを塗布した形態が最も優れた放熱性を有し、又、ストレート型の放熱部材にグリスを塗布した形態よりも放熱性が良好であることから、Ｌ字形状が放熱性に、より有効に寄与していることが分かる。
【００６２】
尚、本実施形態において、あおり調整部材１４２１及びスライド調整部材１４２２は、共に金属材料で構成されるとしたが、例えばスライド調整部材１４２２を例えばＰＰＳ（ポリフェニレンサルファイド）のような樹脂材料で構成することもできる。このような構成では、あおり調整やスライド調整のときに金属同士の接触面での摺動による調整ではなく、金属−樹脂間の摺動になるため、潤滑な調整が可能となったり、又、樹脂材料の使用により構成部材の軽量化が図れるという効果がある。又、このような構成においても、金属部材であるあおり調整部材１４２１により、排熱に関わる部材の熱容量が増すという観点からＬ字型の放熱部材を使用することが除熱の向上に効果的である。又、光ピックアップ装置の軽量化のため、光学基台１１０を樹脂材で形成するような場合においても、同様に、金属部材であるあおり調整部材１４２１により、排熱に関わる部材の熱容量が増すという観点からＬ字型の放熱部材を使用することが除熱の向上に効果的である。
【００６３】
尚、図２に示され、又、上述したように、ＢＤ用の光学系構成１２０において、現時点では、レーザ光源と光検出器とが樹脂材にて一体的にモールド成型されたレーザユニットは製品化されていない。よって光源部分は、現時点では比較的容易に除熱することができる。しかしながら、将来的に、ＢＤ用の光学系構成においても、レーザ光源と光検出器とが樹脂材にて一体的にモールド成型されたレーザユニットが製品化されるときには、上述した本実施形態における放熱部材１４６の構成を採用することは可能である。
【００６４】
又、図２及び図３に示す光ピックアップ装置１０１では、第１レーザユニット１４１に備わりＤＶＤ用の例えば波長６８０ｎｍの赤色レーザ光を放射する半導体レーザ素子を有する光源と、第２レーザユニット１４５に備わりＣＤ用の例えば波長７８０ｎｍの赤外レーザ光を放射する半導体レーザ素子を有する光源とは、別々に構成されている。しかしながら、将来的に一つの光源から複数の波長にて複数種の光を放射可能な光源が開発されたときには、そのような新光源に対しても本発明は適用可能である。さらに、そのような新光源と、ＢＤ用の光学系とを一体化したピックアップ装置に対しても本発明は適用可能である。
【００６５】
さらに又、上述した光ピックアップ装置１０１は、第１レーザユニット１４１と基台１１０との間に調整部材１４２を設けた構成に対して、上述のように各種のバリエーションを有することができる放熱部材１４６を取り付けた構成であった。又、第１レーザユニット１４１及び調整部材１４２は、第１レーザユニット１４１の背後から基台１１０へ向けて押圧部材１１２にて押圧されている。しかしながら、放熱部材の設置は、このような構成に限定されるものではない。即ち、調整部材を備えない構成においては、押圧部材１１２による押圧動作は必要ではなく、押圧部材１１２は不要となる。このような構成において第１レーザユニット１４１の放熱面１４１ｂから放熱を行うためには、図１３Ａから図１３Ｄに示すように、基台１１０に直接第１レーザユニット１４１を取り付けた構成に対して放熱部材を設ける構成が有効である。尚、図１３Ａから図１３Ｄに示される構成において、上記放熱部材に対応する部材を放熱固定部材とする。
【００６６】
図１３Ａでは、第１レーザユニット１４１は、放熱面１４１ｂを基台１１０の外側に向けて配置され、放熱固定部材１８５にて基台１１０に固定される。放熱固定部材１８５は、第１レーザユニット１４１を基台１１０に固定しかつ上記放熱面１４１ｂから基台１１０へ熱を伝導する部材であり、一体的に形成された放熱面固定部１８５ａ及び基台固定部１８５ｂを有する。放熱面固定部１８５ａは、放熱面１４１ｂに固定される部分であり、基台固定部１８５ｂは、第１レーザユニット１４１のレーザ光源から放射されるレーザ光の光軸方向１８６へ上記放熱面固定部１８５ａから屈曲して基台１１０へ延在し基台１１０に固定される部分である。
【００６７】
上述のように放熱固定部材１８５は、第１レーザユニット１４１を基台１１０に固定するとともに、第１レーザユニット１４１の放熱面１４１ｂから基台１１０へ第１レーザユニット１４１の熱を効率的に伝導することができる。又、基台固定部１８５ｂは、放熱面固定部１８５ａから屈曲して基台１１０へ延在する形状であることから、つまり放熱固定部材１８５はＬ字形の形状にてなることから、背面に放熱面１４１ｂを有する第１レーザユニット１４１の基台１１０への固定及び放熱をコンパクトな構成にて行うことを可能とする。
【００６８】
尚、図１３Ａでは、基台１１０には、放熱面固定部１８５ａの固定を容易にする脚部１１０ａを設けるが、脚部１１０ａの無い基台１１０に対しても放熱固定部材１８５を取り付けることができる。例えば図１３Ｂに示すように、基台固定部１８５ｂの端部を基台１１０の側面１１０ｂに当接させ固定する形態を採ることもできる。又、図１３Ｃに示すように、基台固定部１８５ｂを基台１１０の側面１１０ｂに沿って屈曲させた屈曲延在部１８５ｃを有する形態を採ることもできる。
図１３Ｂ及び図１３Ｃに示す形態においても、放熱固定部材１８５により、第１レーザユニット１４１の放熱面１４１ｂから基台１１０へ第１レーザユニット１４１の熱を効率的に伝導することができ、第１レーザユニット１４１の基台１１０への固定及び放熱をコンパクトな構成にて行うことを可能とする。
【００６９】
又、図１３Ｄに示すように、第１レーザユニット１４１を基台１１０に完全に埋設し、又は不完全に埋設し、放熱固定部材１８５を取り付けた形態を採ることもできる。このような構成においても、放熱固定部材１８５により、第１レーザユニット１４１の放熱面１４１ｂから基台１１０へ第１レーザユニット１４１の熱を効率的に伝導することができ、さらに第１レーザユニット１４１と基台１１０との接触面積が図１３Ａ等の場合に比べて増すことから、より放熱効率を高めることができる。
又、放熱面固定部１８５を有する構成に対して、上述した放熱用グリスを塗布することもできる。
【００７０】
上述したように構成される光ピックアップ装置１０１は、例えば図４に示すように、制御回路１５１を有する光ディスク装置１５０に備えることができる。上記制御回路１５１は、光ピックアップ装置１０１から得られる信号が供給され、該信号に基づいて光ディスク１３０〜１３２の回転制御、並びに、光学レンズのフォーカシング及びトラッキングの制御を行う。
光ディスク装置１５０によれば、上述のように光ピックアップ装置１０１は、ＢＤ用の光学系構成１２０及びＣＤ及びＤＶＤ用の光学系構成１４０を有することから、記録密度の異なる複数の光ディスクに対応して、情報処理が可能となるという効果を有する。
【００７１】
さらに、上記光ディスク装置１５０を備えた、図５に示すコンピューター１６０、図６に示される光ディスクプレーヤー１６５、及び図７に示す光ディスクレコーダー１７０を構成することができる。これらの装置は、光ピックアップ装置１０１を備えることから、異なる種類の光ディスクを安定に記録あるいは再生でき、広い用途に使用できるという効果を有するものとなる。
【００７２】
尚、図５において、符号１６１は、中央演算装置（ＣＰＵ）などの演算装置を示す。又、コンピューター１６０が有線又は無線の入出力端子を備えることで、ネットワーク、すなわち、複数の機器、例えば、コンピューター、電話、テレビチューナー、等と情報をやりとりし、これら複数の機器から共有の情報サーバー（光ディスクサーバー）として利用することも可能となる。
【００７３】
又、上記光ディスクプレーヤー１６５は、光ディスク装置１５０から得られる情報信号を画像に変換する変換装置、例えばデコーダーを有する光ディスクプレーヤーとして構成可能である。さらに光ディスクプレーヤー１６５は、例えばカーナビゲーションシステムとしても利用可能であり、又、液晶モニターなどの表示装置を加えた形態も可能である。
又、光ディスクレコーダー１７０では、画像情報を、光ディスク装置１５０によって光ディスクへ記録する情報に変換する変換装置、例えばエンコーダー１７１を有し、さらに、光ディスク装置１５０から得られる情報信号を画像に変換する変換装置、例えばデコーダー１７２も有することにより、既に記録した部分を再生することも可能となる。情報を表示するブラウン管や液晶表示装置、プリンターなどの出力装置を備えてもよい。
【００７４】
上述のように光ディスク装置１５０は、基材厚や対応波長、記録密度などの異なる複数種類の光ディスクに対して記録再生が可能である。さらに、この光ディスク装置１５０を用いた互換型光情報装置は、ＣＤ、ＤＶＤ、ＢＤなど多くの規格の光ディスクを扱うことができる。従って、コンピューター、光ディスクプレーヤー、光ディスクレコーダー、カーナビゲーションシステム、編集システム、データサーバー、ＡＶコンポーネントなど、情報を蓄えるあらゆるシステムに応用展開可能である。
【００７５】
なお、上記様々な実施形態のうちの任意の実施形態を適宜組み合わせることにより、それぞれの有する効果を奏するようにすることができる。
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
又、２００６年２月２８日に出願された、日本国特許出願Ｎｏ．特願２００６−０５２７２６号の明細書、図面、特許請求の範囲、及び要約書の開示内容の全ては、参考として本明細書中に編入されるものである。
【産業上の利用可能性】
【００７６】
本発明は、ＣＤやＤＶＤ等の光ディスクとの間で情報の記録及び再生を行う光ディスク装置に備わる光ピックアップ装置、及び該光ピックアップ装置を備えた光ディスク装置に応用可能である。
【図面の簡単な説明】
【００７７】
【図１】本発明の実施形態における光ピックアップ装置に備わるレーザユニット部分の構成を示す断面図である。
【図２】本発明の実施形態における光ピックアップ装置のキャリッジ部分の斜視図である。
【図３】図２に示す光ピックアップ装置のキャリッジ部分に搭載されている光学系の概念図である。
【図４】本発明の実施形態における光ピックアップ装置を備えた光ディスク装置の構成を示すブロック図である。
【図５】図４に示す光ディスク装置を備えた構成の一例としてのコンピュータ構成を示す斜視図である。
【図６】図４に示す光ディスク装置を備えた構成の一例としての光ディスクプレーヤー構成を示す斜視図である。
【図７】図４に示す光ディスク装置を備えた構成の一例としての光ディスクレコーダー構成を示す斜視図である。
【図８Ａ】図１等に示す放熱部材の一例を示す斜視図である。
【図８Ｂ】図８Ａに示す放熱部材をレーザユニット及びあおり調整部材に取り付けた状態を示す斜視図である。
【図８Ｃ】図８Ａに示す放熱部材をレーザユニット及びあおり調整部材に取り付けた状態を示す斜視図である。
【図９Ａ】図１等に示す放熱部材の他の例を示す斜視図である。
【図９Ｂ】図９Ａに示す放熱部材をレーザユニット及びあおり調整部材に取り付けた状態を示す斜視図である。
【図１０Ａ】図１等に示す放熱部材の他の例を示す斜視図である。
【図１０Ｂ】図１０Ａに示す放熱部材をレーザユニット及びあおり調整部材に取り付けた状態を示す斜視図である。
【図１０Ｃ】図１等に示す放熱部材の他の例を示す斜視図である。
【図１０Ｄ】図１０Ｃに示す放熱部材をレーザユニット及びあおり調整部材に取り付けた状態を示す斜視図である。
【図１０Ｅ】図１等に示す放熱部材の他の例を示す斜視図である。
【図１０Ｆ】図１０Ｅに示す放熱部材をレーザユニット及びあおり調整部材に取り付けた状態を示す斜視図である。
【図１０Ｇ】図１等に示す放熱部材の他の例を示す斜視図である。
【図１０Ｈ】図１０Ｇに示す放熱部材をレーザユニット及びあおり調整部材に取り付けた状態を示す斜視図である。
【図１０Ｉ】図１等に示す放熱部材の他の例を示す斜視図である。
【図１０Ｊ】図１０Ｉに示す放熱部材をレーザユニット及びあおり調整部材に取り付けた状態を示す斜視図である。
【図１１Ａ】図１等に示す放熱部材をレーザユニット及びあおり調整部材に取り付けた構成部分に対して、放熱用グリスを塗布する場所を説明するための斜視図である。
【図１１Ｂ】図１１Ａに示す構成部分の背面側を示した斜視図である。
【図１１Ｃ】図１等に示す放熱部材をレーザユニット及びあおり調整部材に取り付けた構成部分に対して、放熱用グリスを塗布する場所を説明するための斜視図である。
【図１１Ｄ】図１等に示す放熱部材をレーザユニット及びあおり調整部材に取り付けた構成部分に対して、放熱用グリスを塗布する場所を説明するための斜視図である。
【図１１Ｅ】図１等に示す放熱部材をレーザユニット及びあおり調整部材に取り付けた構成部分に対して、放熱用グリスを塗布する場所を説明するための斜視図である。
【図１２】図１等に示す放熱部材を設けた構成における温度変化を示すグラフである。
【図１３Ａ】本発明の実施形態における光ピックアップ装置に備わるレーザユニット部分の別の構成を示す断面図である。
【図１３Ｂ】図１３Ａに示す構成の変形例を示す断面図である。
【図１３Ｃ】図１３Ｂに示す構成の変形例を示す断面図である。
【図１３Ｄ】図１３Ａに示す構成の変形例を示す断面図である。
【図１４】従来の光ディスク装置を示す斜視図である。
【図１５】図１４に示す光ディスク装置に備わる光ピックアップ装置の斜視図である。
【図１６】図１５に示す光ピックアップ装置のキャリッジ部分を示す斜視図であり、キャリッジ部分に備わるレーザユニットの放熱用の部材を説明するための図である。
【図１７】図１６に示すキャリッジ部分を表裏逆向きに示した斜視図である。
【符号の説明】
【００７８】
１０１…光ピックアップ装置、１１０…基台、１３０…光ディスク、
１４０…ＣＤ及びＤＶＤ用光学系構成、１４１…第１レーザユニット、
１４１ａ…レーザ光放射面、１４１ｂ…放熱面、１４２…調整部材、
１４４…対物レンズ、１４６…放熱部材、１４６ａ…一端部、１４６ｂ…他端部、
１５０…光ディスク装置、１５１…制御回路、
１４２１…あおり調整部材、１４２２…スライド調整部材。
【手続補正３】
【補正対象書類名】図面
【補正対象項目名】全図
【補正方法】変更
【補正の内容】
【図１】
2007099946.tif 000039
【図２】
2007099946.tif 000040
【図３】
2007099946.tif 000041
【図４】
2007099946.tif 000042
【図５】
2007099946.tif 000043
【図６】
2007099946.tif 000044
【図７】
2007099946.tif 000045
【図８Ａ】
2007099946.tif 000046
【図８Ｂ】
2007099946.tif 000047
【図８Ｃ】
2007099946.tif 000048
【図９Ａ】
2007099946.tif 000049
【図９Ｂ】
2007099946.tif 000050
【図１０Ａ】
2007099946.tif 000051
【図１０Ｂ】
2007099946.tif 000052
【図１０Ｃ】
2007099946.tif 000053
【図１０Ｄ】
2007099946.tif 000054
【図１０Ｅ】
2007099946.tif 000055
【図１０Ｆ】
2007099946.tif 000056
【図１０Ｇ】
2007099946.tif 000057
【図１０Ｈ】
2007099946.tif 000058
【図１０Ｉ】
2007099946.tif 000059
【図１０Ｊ】
2007099946.tif 000060
【図１１Ａ】
2007099946.tif 000061
【図１１Ｂ】
2007099946.tif 000062
【図１１Ｃ】
2007099946.tif 000063
【図１１Ｄ】
2007099946.tif 000064
【図１１Ｅ】
2007099946.tif 000065
【図１２】
2007099946.tif 000066
【図１３Ａ】
2007099946.tif 000067
【図１３Ｂ】
2007099946.tif 000068
【図１３Ｃ】
2007099946.tif 000069
【図１３Ｄ】
2007099946.tif 000070
【図１４】
2007099946.tif 000071
【図１５】
2007099946.tif 000072
【図１６】
2007099946.tif 000073
【図１７】
2007099946.tif 000074
【国際調査報告】
2007099946.tif 000075
2007099946.tif 000076
2007099946.tif 000077
2007099946.tif 000078